(57)【要約】  本発明の課題は、簡易な構成で、かつ高感度なマルチタッチ検出機能を有する有機ＥＬモジュール、それを具備した情報処理装置等を提供することである。本発明の有機ＥＬモジュール（１）は、複数個のアノード（４Ａ、４Ｂ、２５Ａ、２５Ｂ）とカソード（６、２６）とを備えた有機ＥＬパネル（２）と、複数の発光エリア（４０Ａ、４０Ｂ）に駆動電圧を印加する発光素子駆動回路ユニット（１２）と、少なくとも複数個のアノード（４Ａ、４Ｂ、２５Ａ、２５Ｂ）に同一の検出電圧波形を印加する検出電圧制御部（５１）と、複数個のアノード（４Ａ、４Ｂ、２５Ａ、２５Ｂ）からの検出信号に基づいて物体の接触等を検出する静電容量方式の検出回路ユニット（１４）と、物体の接触等が検出されたアノード（４Ａ、４Ｂ、２５Ａ、２５Ｂ）の順番を検出する順番検出部（５２）と、を備えるものである。
2018123723.tif 000002
【特許請求の範囲】
【請求項１】
物体の接触及び近接の少なくともいずれかを検出する複数個の検出電極と、当該複数個の検出電極のそれぞれに対して有機機能層ユニットを介して対向する位置に設けられたベース電極と、を備えて構成された複数の発光エリアを有する有機エレクトロルミネッセンスパネルと、
前記複数個の検出電極及び前記ベース電極に接続され、前記複数の発光エリアに駆動電圧を印加する発光素子駆動回路ユニットと、
少なくとも前記複数個の検出電極に対して同一の検出電圧波形を印加する検出電圧制御部と、
少なくとも前記複数個の検出電極に接続され、前記複数個の検出電極からの検出信号に基づいて物体の接触又は近接を検出する静電容量方式の検出回路ユニットと、
前記複数個の検出電極のうち、前記物体の接触又は近接が検出された検出電極の順番を検出する順番検出部と、
を備える有機エレクトロルミネッセンスモジュール。
【請求項２】
前記検出電圧制御部が、前記複数個の検出電極及び前記ベース電極に対して前記同一の検出電圧波形を印加する請求項１に記載の有機エレクトロルミネッセンスモジュール。
【請求項３】
前記ベース電極が、電気的にフローティング状態である請求項１に記載の有機エレクトロルミネッセンスモジュール。
【請求項４】
前記複数の発光エリアへ駆動電圧を印加する発光期間と、少なくとも前記複数個の検出電極に対して前記同一の検出電圧波形を印加し、かつ前記複数個の検出電極からの前記検出信号を前記検出回路ユニットに伝送する検出期間と、を交互に有する請求項１から請求項３までのいずれか一項に記載の有機エレクトロルミネッセンスモジュール。
【請求項５】
前記発光期間の最後から、当該発光期間の次の前記検出期間の最初までの間に、前記複数の発光エリアに対して逆電圧を印加する逆電圧印加期間を有する請求項４に記載の有機エレクトロルミネッセンスモジュール。
【請求項６】
前記複数の発光エリアへ駆動電圧を印加する発光期間内に、少なくとも前記複数個の検出電極に対して前記同一の検出電圧波形を印加し、かつ前記複数個の検出電極からの前記検出信号を前記検出回路ユニットに伝送する検出期間を有する請求項１から請求項３までのいずれか一項に記載の有機エレクトロルミネッセンスモジュール。
【請求項７】
前記複数個が、４個である請求項１から請求項６までのいずれか一項に記載の有機エレクトロルミネッセンスモジュール。
【請求項８】
前記４個の前記検出電極が、２行２列又は１列に前記４個並んで配置されている請求項７に記載の有機エレクトロルミネッセンスモジュール。
【請求項９】
請求項１から請求項８までのいずれか一項に記載の有機エレクトロルミネッセンスモジュールと、
前記順番検出部によって検出された検出順番のパターンに基づいて、前記検出順番のパターンに割り当てられた機能を実行する機能実行部と、
を備える情報処理装置。
【請求項１０】
前記機能実行部が、前記検出順番のパターンに基づいてアプリケーションプログラムを実行する請求項９に記載の情報処理装置。
【請求項１１】
前記機能実行部が、前記検出順番のパターンをパスワード情報として受け付け、記憶されているパスワードとの一致に基づく認証を行う請求項９に記載の情報処理装置。
【請求項１２】
請求項１から請求項８までのいずれか一項に記載の有機エレクトロルミネッセンスモジュールを備える入力装置。
【請求項１３】
請求項１から請求項８までのいずれか一項に記載の有機エレクトロルミネッセンスモジュールを備える照明装置。
【発明の詳細な説明】
【技術分野】
【０００１】
本発明は、有機エレクトロルミネッセンスモジュール、情報処理装置、入力装置及び照明装置に関する。より詳細には、本発明は、簡易な構成で、かつ高感度なマルチタッチ検出機能を有する有機エレクトロルミネッセンスモジュール、それを具備した情報処理装置、入力装置及び照明装置に関する。
【背景技術】
【０００２】
従来、スマートデバイス（例えば、スマートフォン、タブレット等）には、その操作性を向上させる観点から、フラットな面を有するキーが使われている。フラットな面を有するキーとしては、例えば、スマートデバイスの表示画面の下部領域に設けられた共通機能キーボタンであるアイコン部が知られている。このようなアイコン部としては、例えば、家のマークや○（丸印）等で表示されるホームボタン、三角の矢印マーク等で表示される戻るボタン、四角マーク等で表示されるマルチタスクボタン等が知られている。これらのアイコン部は、視認性向上の観点から、表示するマークのパターン形状に応じて、例えば、ＬＥＤ（Ｌｉｇｈｔ  Ｅｍｉｔｔｉｎｇ  Ｄｉｏｄｅ）導光板などの平面発光デバイスをスマートデバイスの内部に設置して利用する方法が開示されている（例えば、特許文献１参照。）。【０００３】
また、ＬＥＤ光源を用いた静電容量式情報入力ユニットとしては、例えば、センサー電極が形成されたフレキシブルプリント回路基板と、表面パネルとの間に、アイコン部を回避する位置に同形状の空気層よりも誘電率の高い接着剤層を設けた構成が開示されている（例えば、特許文献２参照。）。この構成では、センサー電極の感度を高めることにより使用者の入力操作を安定して処理し、検出電極での静電容量の検出精度を向上させることができる。【０００４】
また、近年では、アイコン部の表示方法として、低消費電力化及び発光輝度の均一性向上の観点から、面発光型の有機エレクトロルミネッセンスデバイス（以下、「有機ＥＬデバイス」ともいう。）を利用する方法が注目されている。有機ＥＬデバイスを用いた構成では、アイコン部を構成しているカバーガラス側へマーク等をあらかじめ形成し、その該当形成部分の裏側に有機ＥＬデバイスを配置することで、表示機能を発現させることができる。【０００５】
ところで、スマートデバイス等の情報処理装置では、ディスプレイ部及び上述したアイコン部において、タッチ検出のための静電容量方式の検出型デバイスをカバーガラスの下面側に配置し、タッチ検出機能を有する構成とすることが知られている。【０００６】
このタッチ検出機能を有するデバイスでは、フィルム／フィルム型のタッチセンサーを、カバーガラスと同等のサイズまで拡大させてラミネートしたものを使うことが多い。特に、厚さに制約がないような機種の場合には、ガラス／ガラスタイプのものが用いられることもある。
また、タッチ検出方式としては、近年は静電容量方式が採用されることが多く、例えば、メインディスプレイ向けには、「投影型静電容量方式」と呼ばれる、ｘ軸、ｙ軸方向それぞれに精細な電極パターンを有する方式が採用されることが多い。この方式では、いわゆる「マルチタッチ検出」と呼ばれる２点以上のタッチ検出が可能となる。【０００７】
ところで、インセル型の有機ＥＬデバイスに、マルチタッチ検出機能を付与させる場合、検出電極（例えば、アノード）を複数にエリア分割する必要があった。また、このような有機ＥＬデバイスにおいては、カソードをフローティング状態で共通化する方法が一般的である。しかしながら、この方法では検出感度が低いため、複数に分割したアノードのうちどのアノードにタッチしたのかを判別することが困難であるという問題があった。【０００８】
上記問題の解決策としては、アノードと同様に、カソードも複数に分割し、複数ユニットの有機エレクトロルミネッセンス素子（以下、「有機ＥＬ素子」ともいう。）を独立して備えた構成とする方法が挙げられる。しかしながら、この方法では、配線数が増加し、有機ＥＬデバイスの構成を複雑化するという問題があった。
【先行技術文献】
【特許文献】
【０００９】
【特許文献１】特開２０１２−１９４２９１号公報
【特許文献２】特開２０１３−０６５４２９号公報
【発明の概要】
【発明が解決しようとする課題】
【００１０】
本発明は、上記問題・状況に鑑みてなされたものであり、その解決課題は、簡易な構成で、かつ高感度なマルチタッチ検出機能を有する有機エレクトロルミネッセンスモジュール（以下、「有機ＥＬモジュール」ともいう。）、それを具備した情報処理装置、入力装置及び照明装置を提供することである。
【課題を解決するための手段】
【００１１】
本発明者らは、上記課題を解決すべく、鋭意検討を進めた結果、有機ＥＬモジュールが、複数個の検出電極と、当該複数個の検出電極と有機機能層ユニットを介して隣接する共通のベース電極とを有する有機エレクトロルミネッセンスパネル（以下、「有機ＥＬパネル」ともいう。）と、検出電極に対しそれぞれ同一の検出電圧波形を印加する検出電圧制御部と、検出電極へのタッチ順等を検出する順番検出部等を備えた構成とすることにより、簡易な構成で、かつ高感度なマルチタッチ検出機能を有する有機ＥＬモジュールを提供できることを見いだし、本発明に至った。
すなわち、本発明に係る課題は、以下の手段により解決される。【００１２】
１．物体の接触及び近接の少なくともいずれかを検出する複数個の検出電極と、当該複数個の検出電極のそれぞれに対して有機機能層ユニットを介して対向する位置に設けられたベース電極と、を備えて構成された複数の発光エリアを有する有機エレクトロルミネッセンスパネルと、
前記複数個の検出電極及び前記ベース電極に接続され、前記複数の発光エリアに駆動電圧を印加する発光素子駆動回路ユニットと、
少なくとも前記複数個の検出電極に対して同一の検出電圧波形を印加する検出電圧制御部と、
少なくとも前記複数個の検出電極に接続され、前記複数個の検出電極からの検出信号に基づいて物体の接触又は近接を検出する静電容量方式の検出回路ユニットと、
前記複数個の検出電極のうち、前記物体の接触又は近接が検出された検出電極の順番を検出する順番検出部と、
を備える有機エレクトロルミネッセンスモジュール。【００１３】
２．前記検出電圧制御部が、前記複数個の検出電極及び前記ベース電極に対して前記同一の検出電圧波形を印加する第１項に記載の有機エレクトロルミネッセンスモジュール。【００１４】
３．前記ベース電極が、電気的にフローティング状態である第１項に記載の有機エレクトロルミネッセンスモジュール。【００１５】
４．前記複数の発光エリアへ駆動電圧を印加する発光期間と、少なくとも前記複数個の検出電極に対して前記同一の検出電圧波形を印加し、かつ前記複数個の検出電極からの前記検出信号を前記検出回路ユニットに伝送する検出期間と、を交互に有する第１項から第３項までのいずれか一項に記載の有機エレクトロルミネッセンスモジュール。【００１６】
５．前記発光期間の最後から、当該発光期間の次の前記検出期間の最初までの間に、前記複数の発光エリアに対して逆電圧を印加する逆電圧印加期間を有する第４項に記載の有機エレクトロルミネッセンスモジュール。【００１７】
６．前記複数の発光エリアへ駆動電圧を印加する発光期間内に、少なくとも前記複数個の検出電極に対して前記同一の検出電圧波形を印加し、かつ前記複数個の検出電極からの前記検出信号を前記検出回路ユニットに伝送する検出期間を有する第１項から第３項までのいずれか一項に記載の有機エレクトロルミネッセンスモジュール。【００１８】
７．前記複数個が、４個である第１項から第６項までのいずれか一項に記載の有機エレクトロルミネッセンスモジュール。【００１９】
８．前記４個の前記検出電極が、２行２列又は１列に前記４個並んで配置されている第７項に記載の有機エレクトロルミネッセンスモジュール。【００２０】
９．第１項から第８項までのいずれか一項に記載の有機エレクトロルミネッセンスモジュールと、
前記順番検出部によって検出された検出順番のパターンに基づいて、前記検出順番のパターンに割り当てられた機能を実行する機能実行部と、
を備える情報処理装置。【００２１】
１０．前記機能実行部が、前記検出順番のパターンに基づいてアプリケーションプログラムを実行する第９項に記載の情報処理装置。【００２２】
１１．前記機能実行部が、前記検出順番のパターンをパスワード情報として受け付け、記憶されているパスワードとの一致に基づく認証を行う第９項に記載の情報処理装置。【００２３】
１２．第１項から第８項までのいずれか一項に記載の有機エレクトロルミネッセンスモジュールを備える入力装置。【００２４】
１３．第１項から第８項までのいずれか一項に記載の有機エレクトロルミネッセンスモジュールを備える照明装置。
【発明の効果】
【００２５】
本発明の上記手段により、簡易な構成で、かつ高感度なマルチタッチ検出機能を有する有機ＥＬモジュール、それを具備した情報処理装置、入力装置及び照明装置を提供することができる。【００２６】
本発明で規定する構成からなる有機ＥＬモジュールの技術的特徴とその効果の発現機構は、以下のとおりであると考えられる。【００２７】
図２０Ａに、発光機能に加えてマルチタッチ検出機能を有する従来の有機ＥＬモジュールの電極の構成の一例を示す。この有機ＥＬモジュール（１）は、共通のカソード（６）上に、第１アノード（４Ａ）及び第２アノード（４Ｂ）が配置されており、電極間に２つの発光エリア（有機ＥＬ素子部）を有している。ここで、カソード（６）は、電気的にはどこにも接続されておらず、フローティング状態にある。なお、説明の便宜上、図２０Ａには、カソード（６）、第１アノード（４Ａ）及び第２アノード（４Ｂ）の位置関係のみを示し、その他の構成は記載を省略している。【００２８】
また、この有機ＥＬモジュール（１）において、第１及び第２アノード（４Ａ、４Ｂ）と、カソード（６）との間の有機ＥＬ素子部分の静電容量をそれぞれＣｅｌとする。また、第１アノード（４Ａ）側に指でタッチしたときに、人体が接地（１６）しているので、指と第１アノード（４Ａ）との間に静電容量Ｃｆが生ずるとする。
ここで、タッチを行っていない第２アノード（４Ｂ）側の静電容量は、カソード（６）がフローティング状態にあるため、ルートＲ（図２０Ａ参照）を経由して静電容量が検出されることになる。したがって、第２アノード（４Ｂ）で検出される静電容量は、（Ｃｅｌ×Ｃｆ）／（２Ｃｆ＋Ｃｅｌ）で表される。ここで、Ｃｅｌの方がＣｆよりも非常に大きいため、（Ｃｅｌ×Ｃｆ）／（２Ｃｆ＋Ｃｅｌ）は、Ｃｆに近似の静電容量となる。よって、このような構成においては、タッチした第１アノード（４Ａ）の静電容量と、タッチしていない第２アノード（４Ｂ）の静電容量との差がほとんどないため、いずれのアノードにタッチしたかを判定することが困難である。【００２９】
上記のような問題に対しては、アノードと同様に、カソードも複数に分割し、複数ユニットの有機ＥＬ素子を備えた構成とする方法が挙げられる。具体的には、例えば、図２０Ｂで示すように、２つの発光エリアを、第１アノード（４Ａ）及び第１カソード（６Ａ）と、第２アノード（４Ｂ）及び第２カソード（６Ｂ）とによって、それぞれの組み合わせで独立して検出可能とした構成にする方法が挙げられる。しかし、この構成では、配線数が増加するため、有機ＥＬデバイスの構成を複雑化するという問題があった。そこで、簡易な構成で、かつマルチタッチの検出が可能な有機ＥＬモジュールが求められていた。【００３０】
本発明の有機ＥＬモジュールは、複数個の検出電極（例えば、アノード）と、当該複数個の検出電極に対して有機機能層ユニットを介して隣接する共通のベース電極（例えば、カソード）とを有する有機ＥＬパネルと、検出電極に対しそれぞれ同一の検出電圧波形を印加する検出電圧制御部等を備えている。【００３１】
ここで、複数個の検出電極に対して同一の検出電圧波形を印加すると、検出電極とベース電極との間の静電容量の影響を受けにくくなる。これにより、例えば、複数個の検出電極に対してタッチ操作を行った場合、タッチされた検出電極と、タッチされていない検出電極では、過渡電流に明確な差が生じるので、各検出電極から検出回路ユニットに流れる検出信号に明確な差が生じる。これによって、複数個の検出電極のうちどの検出電極がタッチされたのかを高い精度で検出することができる。
また、本発明の有機ＥＬモジュールは、複数個の検出電極へのタッチ順等を検出できる順番検出部を備えている。これにより、有機ＥＬモジュールをスマートデバイス等の各種情報処理装置等に具備して用いることにより、順番検出部によって検出された検出順番のパターンに基づいて、検出順番のパターンに割り当てられた機能の実行（例えば、アプリケーションプログラムの実行）を行うことができる。
【図面の簡単な説明】
【００３２】
【図１Ａ】本発明の有機ＥＬモジュールにおけるアノードとカソードとの位置関係の一例を示す模式図
【図１Ｂ】本発明の有機ＥＬモジュールにおけるアノードとカソードとの位置関係の他の一例を示す模式図
【図１Ｃ】本発明の有機ＥＬモジュールにおけるアノードとカソードとの位置関係の他の一例を示す模式図
【図２】第１実施形態の有機ＥＬモジュールの概略断面図
【図３】第１実施形態の有機ＥＬモジュールの駆動回路の一例を示す駆動回路図
【図４】発光素子駆動回路ユニットの一例を示す概略回路図
【図５Ａ】第１実施形態の有機ＥＬモジュールにおけるマルチタッチ方式の原理を説明するための模式図
【図５Ｂ】各電極に印加する同一の検出電圧波形を示すタイミングチャート
【図６】順番検出処理を示すフローチャート
【図７】第１駆動方法における発光期間及び検出期間の一例を示すタイミングチャート
【図８】発光期間における回路作動の一例を示す回路作動図
【図９】検出期間における回路作動の一例を示す回路作動図
【図１０】第２駆動方法における発光期間及び検出期間の一例を示すタイミングチャート
【図１１Ａ】第２実施形態の有機ＥＬモジュールにおけるマルチタッチ方式の原理を説明するための模式図
【図１１Ｂ】各電極に印加する同一の検出電圧波形を示すタイミングチャート
【図１２】第２実施形態の有機ＥＬモジュールにおける駆動回路の一例を示す駆動回路図
【図１３】第３実施形態の有機ＥＬモジュールにおける駆動回路の一例を示す駆動回路図
【図１４】第３実施形態の駆動回路について、有機ＥＬ素子を常時発光させる駆動方法における発光期間及び検出期間の一例を示すタイミングチャート
【図１５Ａ】図１Ｂの有機ＥＬモジュールにおけるタッチ検出順番のパターンの一例を示す模式図
【図１５Ｂ】図１Ｂの有機ＥＬモジュールにおけるタッチ検出順番のパターンの他の一例を示す模式図
【図１５Ｃ】図１Ｂの有機ＥＬモジュールにおけるタッチ検出順番のパターンの他の一例を示す模式図
【図１５Ｄ】図１Ｂの有機ＥＬモジュールにおけるタッチ検出順番のパターンの他の一例を示す模式図
【図１６Ａ】図１Ｃの有機ＥＬモジュールにおけるタッチ検出順番のパターンの一例を示す模式図
【図１６Ｂ】図１Ｃの有機ＥＬモジュールにおけるタッチ検出順番のパターンの他の一例を示す模式図
【図１６Ｃ】図１Ｃの有機ＥＬモジュールにおけるタッチ検出順番のパターンの他の一例を示す模式図
【図１６Ｄ】図１Ｃの有機ＥＬモジュールにおけるタッチ検出順番のパターンの他の一例を示す模式図
【図１７Ａ】情報処理装置の一例を示す模式図
【図１７Ｂ】情報処理装置の他の一例を示す模式図
【図１８】情報処理装置の主な機能構成を示すブロック図
【図１９Ａ】入力装置の一例を示す模式図
【図１９Ｂ】入力装置の他の一例を示す模式図
【図１９Ｃ】入力装置の他の一例を示す模式図
【図１９Ｄ】入力装置の他の一例を示す模式図
【図２０Ａ】従来型のマルチタッチ検出機能を有する有機ＥＬモジュールの電極構成の一例を示す模式図
【図２０Ｂ】アノードと同様に、カソードも複数に分割した有機ＥＬモジュールの電極構成の一例を示す模式図
【発明を実施するための形態】
【００３３】
本発明の有機ＥＬモジュールは、物体の接触及び近接の少なくともいずれかを検出する複数個の検出電極と、当該複数個の検出電極のそれぞれに対して有機機能層ユニットを介して対向する位置に設けられたベース電極と、を備えて構成された複数の発光エリアを有する有機ＥＬパネルと、前記複数個の検出電極及び前記ベース電極に接続され、前記複数の発光エリアに駆動電圧を印加する発光素子駆動回路ユニットと、少なくとも前記複数個の検出電極に対して同一の検出電圧波形を印加する検出電圧制御部と、少なくとも前記複数個の検出電極に接続され、前記複数個の検出電極からの検出信号に基づいて物体の接触又は近接を検出する静電容量方式の検出回路ユニットと、前記複数個の検出電極のうち、前記物体の接触又は近接が検出された検出電極の順番を検出する順番検出部と、を備えることを特徴とする。この特徴は、下記実施態様に共通する又は対応する技術的特徴である。
【００３４】
本発明の実施形態としては、本発明の効果をより有効に発現させる観点から、前記検出電圧制御部が、前記複数個の検出電極及び前記ベース電極に対して前記同一の検出電圧波形を印加することが好ましい。
【００３５】
また、本発明の実施形態としては、本発明の効果をより有効に発現させる観点から、前記ベース電極が、電気的にフローティング状態であることが好ましい。
【００３６】
また、本発明の実施形態としては、本発明の効果をより有効に発現させる観点から、前記複数の発光エリアへ駆動電圧を印加する発光期間と、少なくとも前記複数個の検出電極に対して前記同一の検出電圧波形を印加し、かつ前記複数個の検出電極からの前記検出信号を前記検出回路ユニットに伝送する検出期間と、を交互に有することが好ましい。
【００３７】
また、本発明の実施形態としては、前記発光期間の最後から、当該発光期間の次の前記検出期間の最初までの間に、前記複数の発光エリアに対して逆電圧を印加する逆電圧印加期間を有することが好ましい。これにより、発光期間と検出期間をより明確に分離し、検出精度を向上させることができる。
【００３８】
また、本発明の実施形態としては、本発明の効果をより有効に発現させる観点から、前記複数の発光エリアへ駆動電圧を印加する発光期間内に、少なくとも前記複数個の検出電極に対して前記同一の検出電圧波形を印加し、かつ前記複数個の検出電極からの前記検出信号を前記検出回路ユニットに伝送する検出期間を有することが好ましい。
【００３９】
また、本発明の実施形態としては、本発明の効果をより有効に発現させる観点から、前記複数個が、４個であることが好ましい。
【００４０】
また、本発明の実施形態としては、操作性を向上させる観点から、前記４個の前記検出電極が、２行２列又は１列に前記４個並んで配置されていることが好ましい。
【００４１】
また、本発明の有機ＥＬモジュールは、情報処理装置、入力装置及び照明装置に具備することで好適に利用することができる。
【００４２】
また、本発明の有機ＥＬモジュールを具備する情報処理装置としては、本発明の効果をより有効に発現させる観点から、前記順番検出部によって検出された検出順番のパターンに基づいて、前記検出順番のパターンに割り当てられた機能を実行する機能実行部を備えることが好ましい。
【００４３】
また、本発明の有機ＥＬモジュールを具備する情報処理装置としては、本発明の効果をより有効に発現させる観点から、前記機能実行部が、前記検出順番のパターンに基づいてアプリケーションプログラムを実行することが好ましい。
【００４４】
また、本発明の有機ＥＬモジュールを具備する情報処理装置としては、本発明の効果をより有効に発現させる観点から、前記機能実行部が、前記検出順番のパターンをパスワード情報として受け付け、記憶されているパスワードとの一致に基づく認証を行うことが好ましい。
【００４５】
以下、本発明の構成要素、及び本発明を実施するための形態・態様について、図を交えて詳細な説明をする。なお、本願において、数値範囲を表す「〜」は、その前後に記載される数値を下限値及び上限値として含む意味で使用している。なお、各図の説明において、構成要素の末尾に括弧内で記載した数字は、各図における符号を表す。
【００４６】
［有機ＥＬモジュールの構成］
本発明の有機ＥＬモジュールは、物体の接触及び近接の少なくともいずれかを検出する複数個の検出電極と、当該複数個の検出電極のそれぞれに対して有機機能層ユニットを介して対向する位置に設けられたベース電極と、を備えて構成された複数の発光エリアを有する有機ＥＬパネルと、前記複数個の検出電極及び前記ベース電極に接続され、前記複数の発光エリアに駆動電圧を印加する発光素子駆動回路ユニットと、少なくとも前記複数個の検出電極に対して同一の検出電圧波形を印加する検出電圧制御部と、少なくとも前記複数個の検出電極に接続され、前記複数個の検出電極からの検出信号に基づいて物体の接触又は近接を検出する静電容量方式の検出回路ユニットと、前記複数個の検出電極のうち、前記物体の接触又は近接が検出された検出電極の順番を検出する順番検出部と、を備える構成である。
【００４７】
以下、本明細書で使用する技術用語の定義について予め説明する。
本発明でいう「有機ＥＬ素子」とは、一対の対向電極及び有機機能層ユニットにより構成されている素子をいう。
本発明でいう「有機機能層ユニット」とは、少なくとも有機ＥＬの発光を行う発光層を備えた層構成のこといい、具体的には、例えば、正孔輸送層、発光層及び電子輸送層が順に積層された層構成等、公知の層構成を使用できる。
本発明でいう「有機ＥＬパネル」とは、有機ＥＬ素子を封止樹脂及び封止部材により封止した構成をいう。
本発明でいう「有機ＥＬモジュール」とは、有機ＥＬパネルに、静電容量方式のタッチ検出回路ユニットと発光素子駆動回路ユニットとが電気接続部材により接続されており、発光機能及びタッチ検出機能を併せ持つ構成を有しているものをいう。
【００４８】
本発明でいう「物体の接触」とは、例えば、指やタッチペン等の物体を、有機ＥＬパネルに接触（タッチ）させることをいい、本発明でいう「物体の近接」とは、例えば、指やタッチペン等の物体を、有機ＥＬパネルに近接（ホバリング）させることをいう。本明細書では、これらの接触（タッチ）や近接（ホバリング）による検出を、総称して「タッチ検出」という。また、本明細書において、接触（タッチ）や近接（ホバリング）は、検出電極に直接的に接触又は近接する場合に限られず、検出電極表面側に設けられたカバー基板上を接触又は近接する場合を含めた意味で用いる。
【００４９】
本発明でいう「検出電極」とは、物体の接触及び近接の少なくともいずれかによる静電容量の変化を検出可能な電極をいう。
本発明でいう「ベース電極」とは、上記検出電極に対して、有機機能層ユニットを介して対向する位置に設けられた電極をいう。
【００５０】
本発明でいう「発光エリア」とは、層厚方向で、検出電極、有機機能層ユニット及びベース電極が重なる領域で構成される有機ＥＬ素子部分をいう。
本発明でいう「発光素子駆動回路ユニット」とは、発光エリアに駆動電圧を印加する発光素子駆動回路部を少なくとも備えた回路ユニットをいう。
本発明でいう「検出回路ユニット」とは、検出電極からの検出信号に基づいて物体の接触又は近接を検出する検出回路を少なくとも備えた回路ユニットをいう。
本発明でいう「検出信号」とは、各検出電極に検出電圧波形を印加したときの各検出電極における静電容量値に基づく過渡電流や電位変動等のことをいう。
【００５１】
本発明でいう「発光期間（ＬＴ）」とは、複数の発光エリアに電流供給が行われる期間をいう。
本発明でいう「検出期間（ＳＴ）」とは、検出電極への物体の接触及び近接のいずれかを検出する期間をいう。
本発明でいう「電気的にフローティング状態」とは、電源や機器のグランドに接続されていない浮遊電位状態をいう。
【００５２】
［第１実施形態の有機ＥＬモジュール］
第１実施形態に係る有機ＥＬモジュール（１）は、有機ＥＬパネル（２）、発光素子駆動回路ユニット（１２）、検出回路ユニット（１４）、検出電圧制御部（５１）、及び順番検出部（５２）等を備えている（図２〜図５等）。以下、これらの構成と、タッチ検出の原理について説明する。
【００５３】
有機ＥＬパネル（２）は、物体の接触及び近接の少なくともいずれかを検出する複数個の検出電極と、当該複数個の検出電極のそれぞれに対して有機機能層ユニット（５）を介して対向する位置に設けられたベース電極と、を備えている。検出電極は、アノードでもカソードでもよく、検出電極をアノードとする場合は、ベース電極はカソードであり、一方で、検出電極をカソードとする場合は、ベース電極はアノードである。以下の説明では、検出電極をアノード、ベース電極をカソードとした場合の例について説明する。
【００５４】
本発明の有機ＥＬモジュール（１）において、複数の検出電極（アノード）とベース電極（カソード）を平面視した際の位置関係を示した例を図１Ａ〜図１Ｃに示す。ベース電極上に複数の検出電極が配置されており、ベース電極は、複数のアノードに共通して用いられる。
図１Ａには、２つの検出電極として、第１アノード（４Ａ）及び第２アノード（４Ｂ）を有する構成を示している。また、図１Ｂ及び図１Ｃには、４つの検出電極として、第１アノード（４Ａ）、第２アノード（４Ｂ）、第３アノード（４Ｃ）及び第４アノード（４Ｄ）を有する構成の例を示している。有機ＥＬモジュール（１）が４つの検出電極を有する場合には、操作性を向上させる観点から、検出電極を２行２列（図１Ｂ）又は１列に４個並んで（図１Ｃ）配置することが好ましい。
また、以下の説明では、本発明の有機ＥＬモジュール（１）の一例として、図１Ａの第１アノード（４Ａ）及び第２アノード（４Ｂ）が並んだ構成を第１実施形態の有機ＥＬモジュール（１）として説明する。
【００５５】
有機ＥＬパネル（２）は、図２に断面図を示すように、透明基材（３）上に、検出電極としての第１アノード（４Ａ）及び第２アノード（４Ｂ）、有機機能層ユニット（５）、及び共通のベース電極としてのカソード（６）が順に積層されている。また、層厚方向において、第１アノード（４Ａ）並びに第２アノード（４Ｂ）、有機機能層ユニット（５）、及びカソード（６）が存在している有機ＥＬ素子領域が、２つの発光エリア（４０Ａ、４０Ｂ）を構成している。また、透明基材（３）の検出電極が設けられた側と反対側には、封止用接着剤（７）を介して、カバー基板（１１）が設けられている。有機ＥＬ素子の詳細な層構成については、後述する。
【００５６】
また、有機ＥＬパネル（２）は、外周部が封止用接着剤（７）によって封止されており、封止用接着剤（７）上面には、封止部材（８）が設けられている。また、有機ＥＬ素子の保護を目的として、有機ＥＬパネル（２）の最表面にメタルホイル層を有していてもよい。
【００５７】
以下、発光素子駆動回路ユニット（１２）、検出回路ユニット（１４）、検出電圧制御部（５１）、及び順番検出部（５２）について、図３に示した第１実施形態に係る有機ＥＬモジュールを駆動させる回路構成の一例を用いて説明する。
【００５８】
有機ＥＬモジュール（１）は、図３に示すように、中央の破線内に示した有機ＥＬパネル（２）領域において、第１アノード（４Ａ）を構成する第１アノード電極配線（２５Ａ）と、第２アノード（４Ｂ）を構成する第２アノード電極配線（２５Ｂ）と、カソード（６）を構成するカソード電極配線（２６）とを有している。また、第１アノード電極配線（２５Ａ）とカソード電極配線（２６）との配線間には、ダイオードである有機ＥＬ素子（２２Ａ）が接続され、有機ＥＬ素子の寄生容量（２１Ａ）が存在している。また、第２アノード電極配線（２５Ｂ）とカソード電極配線（２６）との配線間には、ダイオードである有機ＥＬ素子（２２Ｂ）が接続され、有機ＥＬ素子の寄生容量（２１Ｂ）が存在している。
【００５９】
発光素子駆動回路ユニット（１２）は、内部に少なくとも発光素子駆動回路部（２３）を備えている。
発光素子駆動回路部（２３）には、第１アノード電極配線（２５Ａ）、第２アノード電極配線（２５Ｂ）及びカソード電極配線（２６）が、それぞれ、第１スイッチ（ＳＷ１）、第２スイッチ（ＳＷ２）及び第３スイッチ（ＳＷ３）を介して接続されている。また、第１〜第３スイッチ（ＳＷ１〜ＳＷ３）としては、スイッチ機能を備えたものであれば特に制限なく用いることができ、例えば、ＦＥＴ（電界効果トランジスター）やＴＦＴ（薄膜フィルムトランジスター）等を用いることができる。
【００６０】
発光素子駆動回路部（２３）は、定電流駆動回路又は定電圧駆動回路が組み込まれている。また、発光素子駆動回路部（２３）は、第１〜第３スイッチ（ＳＷ１〜ＳＷ３）が「ＯＮ」のときに、第１発光エリア（４０Ａ）及び第２発光エリア（４０Ｂ）への駆動電圧を印加することで、各発光エリア（４０Ａ、４０Ｂ）の発光タイミングを制御することができる。また、発光素子駆動回路部（２３）は、必要に応じて逆電圧を印加することもできる。
【００６１】
また、発光素子駆動回路部（２３）は、グランド（２７）につながれている。このグランド（２７）は、詳しくはシグナル・グランドと呼ばれている。
【００６２】
なお、図３に示した発光素子駆動回路ユニット（１２）には、発光素子駆動回路部（２３）と、第１〜第３スイッチ（ＳＷ１〜ＳＷ３）とがそれぞれ独立して設けられた構成を示しているが、発光素子駆動回路部（２３）内部に、第１〜第３スイッチ（ＳＷ１〜ＳＷ３）が設けられた構成としてもよい。
【００６３】
また、発光素子駆動回路部（２３）としては、各発光エリアへ駆動電圧を印加することができればその構成に特に制限はなく、従来知られている様々な発光素子駆動回路部（有機ＥＬ素子駆動回路）を適用することができる。また、発光素子駆動回路は、あらかじめ設定した発光素子の発光パターンに応じて、有機ＥＬ素子の発光光量に応じて電流を印加する機能を有するものである。この光素子駆動回路としては、例えば、昇圧型又は降圧型のＤＣ−ＤＣコンバーター回路、電流値のフィードバック回路、ＤＣ−ＤＣコンバーターのスイッチ制御回路等からなる定電流回路が知られている。具体的には、例えば、特開２００２−１５６９４４号公報、特開２００５−２６５９３７号公報、特開２０１０−０４０２４６号公報等に記載されている発光素子駆動回路を適用することができる。
【００６４】
また、本発明に適用可能な発光素子駆動回路ユニット（１２）の構成の概略回路図の一例を図４に示す。発光素子駆動回路部（２３）は、昇圧型又は降圧型のＤＣ−ＤＣコンバーター回路（３１）、ＤＣ−ＤＣコンバーターのスイッチ素子制御回路（３２）、及び電流値のフィードバック回路（３３）を有している。例えば、検出抵抗をＲ１、比較電位をＶｒｅｆとすると、ダイオードである有機ＥＬ素子（２２）に流れる電流ＩＯＬＥＤがＶｒｅｆ／Ｒ１となるように、有機ＥＬ素子（２２）のアノード電位がＤＣ−ＤＣコンバーター回路（３１）で昇圧又は降圧されることにより、定電流回路とすることができる。ここで、フィードバック回路（３３）は、ＶＸ＝Ｖｒｅｆとなるように、ＤＣ−ＤＣコンバーター回路（３１）の出力Ｖｏｕｔにフィードバックを掛ける。例えば、Ｖｒｅｆ＝０．１９Ｖ、Ｒ１＝１００Ωとすると、定電流値Ｖｒｅｆ／Ｒ１＝１．９ｍＡとなるように、ＶｏｕｔがＤＣ−ＤＣコンバーター回路（３１）により調整される。
【００６５】
図３に示す検出回路ユニット（１４）は、検出電極としての第１アノード（４Ａ）及び第２アノード（４Ｂ）からの検出信号に基づいて、物体の接触又は近接を検出する静電容量方式の検出回路部（２４）を備えている。
【００６６】
検出回路部（２４）には、第１アノード電極配線（２５Ａ）、第２アノード電極配線（２５Ｂ）及びカソード電極配線（２６）が、それぞれ、第４スイッチ（ＳＷ４）、第５スイッチ（ＳＷ５）及び第６スイッチ（ＳＷ６）を介して接続されている。また、第４〜第６スイッチ（ＳＷ４〜ＳＷ６）としては、スイッチ機能を備えたものであれば特に制限なく用いることができ、例えば、ＦＥＴ（電界効果トランジスター）やＴＦＴ（薄膜フィルムトランジスター）等を用いることができる。
また、検出回路部（２４）は、グランド（２７）につながれている。
【００６７】
なお、検出回路ユニット（１４）として、検出回路部（２４）と、第４〜第６スイッチ（ＳＷ４〜ＳＷ６）とがそれぞれ独立して設けられた構成を示したが、検出回路部（２４）の内部に、第４〜第６スイッチ（ＳＷ４〜ＳＷ６）が設けられた構成としてもよい。
【００６８】
物体の接触（タッチ）検出機能を有する検出回路部（２４）としては、その構成に特に制限はなく、従来の公知のタッチ検出機能を備えた検出回路部を適用することができる。一般に、タッチ検出回路は、増幅器、フィルター、ＡＤ変換器、整流平滑回路、比較器等で構成され、代表例としては、自己容量検出方式、直列容量分圧比較方式（オムロン方式）等を挙げることができ、また、特表２００９−５４３２４６号公報、特開２０１０−２３１５６５号公報、特開２０１２−０７３７８３号公報、特開２０１３−０８８９３２号公報、特開２０１３−８０２９０号公報、特開２０１４−０５３０００号公報、特開２０１４−９９１８９号候公報、特開２０１４−１３２４４１号公報、特開２０１４−１５７４０２号公報、特開２０１４−２２９３０２号公報等に記載されているタッチ検出回路を参照することができる。
【００６９】
また、本発明の有機ＥＬモジュール（１）において、物体のホバリング（近接）も検出可能な構成とすることができる。ここで、ホバリングの検出とは、指等の物体がタッチパネル等に接触していないが近接している状態（ホバリング状態）にある場合に、指の座標位置情報を検出することである。
【００７０】
指等の物体がホバリング状態にある際の物体の位置情報を取得する手段としては、「（１）超音波を指にあてて、その反射波から近接する指の座標位置を計測する超音波センサー方式」、「（２）ディスプレイのセルに配置した光センサーの受光強度から、近接する指の座標を計測する光センサー方式インセルタッチパネル」、「（３）タッチパネル上の静電容量値の変化量から近接する指の座標を計測する静電容量方式のタッチパネル」、を挙げることができる。これらのうち、タッチパネル全面で近接位置情報を得ることができること、常に安定した操作で近接位置情報を得ることができること、及び新規のデバイスの追加が不要であること等の観点から、本発明に係る有機ＥＬモジュール（１）では、上記（３）に記載の静電容量方式によるホバリング検出（近接検出）を行うことが好ましい。以下、静電容量方式によるホバリング検出（近接検出）の一例について説明する。
【００７１】
静電容量方式において、指やタッチペン等の物体の接触を検出する場合には、検出回路において、物体と検出電極（第１アノード（４Ａ）及び第２アノード（４Ｂ））との間に発生する静電容量を計測することによって、接触を検知する。指等の導電性を有する物体は、物体と検出電極（カバー基板を含む）との間で、静電容量が発生する。一般に、互いに平行な２枚の導体板の面積をＳ［ｍ２］、２枚の導体板間の距離をＤ［ｍ］、２枚の導体板間に充填された誘電体の誘電率をεとすると、その２枚の導体板間に発生する静電容量Ｃ［Ｆ］は、下式（１）で表される。
【００７２】
式（１）：Ｃ＝（ε×Ｓ）／Ｄ
上記式（１）に示すように、２枚の導体板間の距離（Ｄ）が小さいほど、発生する静電容量（Ｃ）の大きさは大きくなり、２枚の導体板間の距離（Ｄ）が大きいほど、発生する静電容量（Ｃ）の大きさは小さくなる。したがって、指と検出電極との距離（Ｄ）が小さくなるほど静電容量（Ｃ）は大きくなる。
【００７３】
ホバリングを検出可能な検出回路部（２４）では、例えば、予め静電容量（Ｃ）の閾値Ｃｔｈ１を定めておき、静電容量（Ｃ）の閾値Ｃｔｈ１である場合に近接したと判断する。具体的には、例えば、指が検出電極（第１アノード（４Ａ）及び第２アノード（４Ｂ））に近づくにつれて計測される静電容量（Ｃ）の値が大きくなるので、ある地点で閾値Ｃｔｈ１（接触閾値Ｃｔｈ１）以上となる。そのとき、検出回路部（２４）が、指がカバー基板を介してホバリング検出電極に接触したとみなして、近接（又は接触）したと判断する。
【００７４】
また、閾値Ｃｔｈ１の値を下げることによって、指と検出電極との距離がより離れている場合であっても検出可能となるが、ノイズも検出しやすくなるため、使用用途に応じて閾値Ｃｔｈ１は、適宜設定することが好ましい。
【００７５】
また、近接（ホバリング）の検出する方法としては、例えば、「ある程度まで近接した」状態で発生する静電容量の閾値を、上述した閾値Ｃｔｈ１とは別に近接閾値Ｃｔｈ２（＜Ｃｔｈ１）と予め定めておくこともできる。つまり、計測された静電容量（Ｃ）が、接触閾値Ｃｔｈ１よりも小さいが近接閾値Ｃｔｈ２以上である場合、指は、カバー基板を介してホバリング検出電極部に接触していないが、ある程度の間隔を空けて近接した状態であると判断することができる。
【００７６】
近接（ホバリング）の検出に関する具体的な制御方法については、例えば、特表２００９−５４３２４６号公報、特開２０１０−２３１５６５号公報、特開２０１３−８０２９０号公報、特開２０１４−９９１８９号候公報、特開２０１４−１３２４４１号公報、特開２０１４−１５７４０２号公報、特開２０１４−２２９３０２号公報等に記載されている方法を、適宜選択して採用することができる。
【００７７】
検出電圧制御部（５１）は、検出回路ユニット（１４）の駆動制御を行うことにより、第１アノード（４Ａ）、第２アノード（４Ｂ）、及びカソード（６）の各電極に対し、同一の検出電圧波形を印加する。具体的には、例えば、図５Ｂに示すように、検出電圧制御部（５１）は、各電極に対して同一電位（Ｖ１）が周期的に印加されるように、同一検出電圧波形を印加する。このような検知電圧波形が印加されている場合、第１アノード（４Ａ）とカソード（６）との電極間の電位差ΔＶは「０」となる。また、同様に、第２アノード（４Ｂ）とカソード（６）間の電位差ΔＶも「０」となる。このような各電極間に同一電位を印加した状態では、有機ＥＬ素子の静電容量（Ｃｅｌ）は検出されない状態となる。
【００７８】
図５Ａは、上述したように、第１アノード（４Ａ）、第２アノード（４Ｂ）及びカソード（６）に対し、図５Ｂで示したような同一検知波形を印加しているときに、例えば、指が、第１アノード（４Ａ）に接触（タッチ）した状態を示しており、人体が接地（１６）しているので、指と第１アノード（４Ａ）との間に静電容量Ｃｆが生じている。このとき、第１アノード（４Ａ）における過渡電流Ｉａｎｏｄ１＝ｄ（Ｃｆ×（Ｖ１−Ｖ０））／ｄｔとなる。一方で、タッチしていない第２アノード（４Ｂ）側では、過渡電流Ｉａｎｏｄ２＝０となる。このように、タッチされた第１アノード（４Ａ）とタッチされていない第２アノード（４Ｂ）とでは、過渡電流に明確な差が生じるので、第１アノード（４Ａ）及び第２アノード（４Ｂ）から検出回路ユニット（１４）に伝送される検出信号に差によって、タッチされた方の電極を高精度に検出することができる。
【００７９】
検出電圧制御部（５１）は、図３に示したように、検出回路ユニット（１４）とは別に設けた例を示したが、検出回路ユニット（１４）内に設けてもよい。
【００８０】
順番検出部（５２）は、検出回路部（２４）において検出された検出電極の順番を検出する。以下、図６のフローチャートを用いて順番検出部（５２）での順番検出処理方法の一例を説明するが、検出された電極の順番を検出できれば、以下で説明する方法に限られない。
【００８１】
順番検出部（５２）は、例えば、検出電圧制御部（５１）における検出電圧波形の印加を開始した際に順番検出処理を開始し、まず、予め設定された設定情報を取得する（ステップＳ１０１）。その設定情報には、例えば、タッチの順番を検出する上限回数、次のタッチ検出までの待ち時間、マルチタッチを含めるか否か等の情報が含まれている。
【００８２】
順番検出部（５２）は、次に、タッチ検出のあった電極情報を取得する（ステップＳ１０２）。
【００８３】
順番検出部（５２）は、次に、タッチ検出順番の回数と、ステップＳ１０１で取得したタッチの順番を検出する上限回数とを比較する。そして、その上限回数未満の場合（ステップＳ１０３：Ｙｅｓ）、次のステップＳ１０４に進む。一方で、その上限回数未満でない場合（ステップＳ１０３：Ｎｏ）、順番検出処理を終了する。
【００８４】
ステップＳ１０４において、順番検出部（５２）は、ステップＳ１０１で取得した次のタッチ検出までの待ち時間以内にタッチ検出されたかを判定する。その待ち時間以内にタッチ検出がされた場合（ステップＳ１０４：Ｙｅｓ）、順番でタッチが行われたと判断し、次のステップであるＳ１０２に戻り、タッチ検出のあった電極情報を取得する。一方、その待ち時間以内にタッチ検出がされなかった場合（ステップＳ１０４：Ｎｏ）、順番検出処理を終了する。
【００８５】
次に、図１Ａに示した第１実施形態の有機ＥＬモジュール（１）において、順番検出部（５２）で検出可能なタッチ検出順番の具体例を説明する。検出順番の具体例としては、例えば、検出する上限回数を３回に設定し、第１アノード（４Ａ）へのタッチをＴＡ、第２アノード（４Ｂ）へのタッチをＴＢとした場合、１回タッチした場合には、ＴＡ又はＴＢの２通り、２回タッチした場合にはＴＡＴＡ、ＴＡＴＢ、ＴＢＴＡ、ＴＢＴＢの４通り（２２通り）、３回タッチした場合にはＴＡＴＡＴＡ、ＴＡＴＡＴＢ、ＴＡＴＢＴＡ、ＴＡＴＢＴＢ、ＴＢＴＡＴＡ、ＴＢＴＡＴＢ、ＴＢＴＢＴＡ、ＴＢＴＢＴＢの８通り（２３通り）が挙げられる。
【００８６】
また、順番検出部（５２）は、第１アノード（４Ａ）又は第２アノード（４Ｂ）のいずれかをタッチした場合だけではなく、第１アノード（４Ａ）及び第２アノード（４Ｂ）の両方をタッチした場合（マルチタッチした場合）も検出することができる。
【００８７】
なお、順番検出部（５２）は、図３に示したように、検出回路ユニット（１４）とは別に設けた例を示したが、検出回路ユニット（１４）内に設けてもよい。
【００８８】
［第１実施形態に係る有機ＥＬモジュールの駆動回路の第１駆動方法］
有機ＥＬモジュール（１）は、上述した駆動回路の駆動方法として、２つの発光エリア（４０Ａ、４０Ｂ）へ駆動電圧を印加する発光期間（ＬＴ）と、第１アノード（４Ａ）及び第２アノード（４Ｂ）に対して同一の検出電圧波形を印加し、第１アノード（４Ａ）及び第２アノード（４Ｂ）からの検出信号を検出回路ユニット（１４）に伝送する検出期間（ＳＴ）と、を交互に有するように駆動することが好ましい。
【００８９】
有機ＥＬモジュール（１）の駆動回路の第１駆動方法について、発光素子駆動回路ユニット（１２）及び検出回路ユニット（１４）における第１〜第６スイッチ（ＳＷ１〜ＳＷ６）のＯＮ／ＯＦＦの作動タイミングと、２つの発光エリア（４０Ａ、４０Ｂ）を構成する各有機ＥＬ素子（２２Ａ、２２Ｂ）に対する印加電圧を示すグラフ（タイミングチャート）を図６に示す。図７では、第１〜第６スイッチ（ＳＷ１〜ＳＷ６）は、電圧の高い期間（Ｈｉｇｈ期間）が各スイッチのＯＮ状態を示し、電圧の低い期間（Ｌｏｗ期間）が各スイッチのＯＦＦ状態を示している。以降説明するタイミングチャートでも同様である。
【００９０】
まず、図３の駆動回路について、図７のタイミングチャートに示すような駆動制御を行った場合の発光期間（ＬＴ）について説明する。発光期間（ＬＴ）は、第１〜第３スイッチ（ＳＷ１〜ＳＷ３）が「ＯＮ」の状態で、かつ第４〜第６スイッチ（ＳＷ４〜ＳＷ６）は「ＯＦＦ」の状態の期間である。
第１〜第３スイッチ（ＳＷ１〜ＳＷ３）が「ＯＮ」の状態になると、発光素子駆動回路部（２３）による制御によって、各発光エリア（４０Ａ、４０Ｂ）を構成する各有機ＥＬ素子（２２Ａ、２２Ｂ）に駆動電圧が印加され、発光に必要な電圧となった時点で発光する。次いで、第１〜第３スイッチ（ＳＷ１〜ＳＷ３）を「ＯＦＦ」にすると、各有機ＥＬ素子（２２Ａ、２２Ｂ）への電流供給が停止し、発光が停止する。また、第１〜第３スイッチ（ＳＷ１〜ＳＷ３）を「ＯＦＦ」にしても、瞬時に発光が停止することはなく、有機ＥＬ素子の充放電時定数τに従って電圧が低下し、一定の時間を要してから発光が停止する。
【００９１】
また、図８に示すように、発光期間（ＬＴ）において、各有機ＥＬ素子（２２Ａ及び２２Ｂ）に対して駆動電流が流れる方向は、各アノード電極配線（２５Ａ及び２５Ｂ）からカソード電極配線（２６）に向かう各ルート（２８Ａ及び２８Ｂ）である。
【００９２】
次に、図３の駆動回路について、図７のタイミングチャートに示すような駆動制御を行った場合の検出期間（ＳＴ）について説明する。検出期間（ＳＴ）は、第１〜第３スイッチ（ＳＷ１〜ＳＷ３）が「ＯＦＦ」の状態で、かつ第４〜第６スイッチ（ＳＷ４〜ＳＷ６）は「ＯＮ」の状態の期間である。
検出期間（ＳＴ）では、検出回路ユニット（１４）の制御によって、第１アノード電極配線（２５Ａ）、第２アノード電極配線（２５Ｂ）、及びカソード電極配線（２６）に対し、同一の検出電圧波形が印加される。そして、検出電極である第１アノード電極配線（２５Ａ）及び第２アノード電極配線（２５Ｂ）からの検出信号が検出回路ユニット（１４）に伝送される。
【００９３】
また、図９は、検出期間（ＳＴ）において、各アノード電極配線（２５Ａ及び２５Ｂ）の表面上に設けられたカバー基板（１１）上に、それぞれ指を接触させた際の例を示している。指と各アノード電極配線（２５Ａ及び２５Ｂ）との間の容量Ｃｆによって、各アノード電極配線（２５Ａ及び２５Ｂ）では静電容量が変化する。そのため、指の接触の有無で、各アノード電極配線（２５Ａ及び２５Ｂ）から検出回路ユニット（１４）に伝送される検出信号に差が生じるので、指の接触の有無を検出することができる。また、図９には、各アノード電極配線（２５Ａ及び２５Ｂ）及びカソード電極配線（２６）から検出回路ユニット（１４）に検出信号が伝送されるルート（２９Ａ〜２９Ｃ）を図示している。
【００９４】
検出期間（ＳＴ）において、第４〜第６スイッチ（ＳＷ４〜６）を「ＯＮ」とするタイミングは、上記説明した第１〜第３スイッチ（ＳＷ１〜ＳＷ３）を「ＯＦＦ」にしたのち、所定の待機時間（ｗｔ）の経過後である。この待機期間（ｗｔ）としては、各有機ＥＬ素子（２２Ａ、２２Ｂ）の充放電時定数τとしたとき、０τ〜５τの範囲内であることが好ましい。
【００９５】
また、本発明では、図７のタイミングチャートに示すように、発光期間（ＬＴ）の最初から、当該発光期間（ＬＴ）の次の検出期間（ＳＴ）の最後までの期間を１フレーム期間（１ＦＴ）という。
【００９６】
本発明の有機ＥＬモジュール（１）における発光期間（ＬＴ）、検出期間（ＳＴ）及び１フレーム期間（１ＦＴ）としては、特に制限はなく、適用する環境に適した条件を適宜選択することができるが、一例としては、発光期間（ＬＴ）は０．１〜２．０ｍｓｅｃの範囲内とし、検出期間（ＳＴ）は０．０５〜０．３ｍｓｅｃの範囲内とし、１フレーム期間（１ＦＴ）は、０．１５〜２．３ｍｓｅｃの範囲内とすることが好ましい。また、１フレーム期間（１ＦＴ）としては、フリッカ低減の観点からは、６０Ｈｚ以上とすることが好ましい。
【００９７】
［第１実施形態の有機ＥＬモジュールの駆動回路における第２駆動方法］
第１実施形態の有機ＥＬモジュール（１）の駆動回路における他の駆動方法（第２駆動方法）について、発光期間（ＬＴ）及び検出期間（ＳＴ）を示すタイミングチャートを、図１０に示す。
【００９８】
第２駆動方法は、第１〜第３スイッチ（ＳＷ１〜ＳＷ３）を「ＯＮ」にした後、「ＯＦＦ」にする直前に、発光素子駆動回路ユニット（１２）による制御によって各有機ＥＬ素子（２２Ａ、２２Ｂ）に逆印加電圧（逆バイアス電圧）を付与する。これにより、各有機ＥＬ素子（２２Ａ、２２Ｂ）における発光停止時の充放電を抑制することができる。また、第２駆動方法では、第１駆動方法で説明したような待機時間（ｗｔ）が発生しないため、発光期間と検出期間をより明確に分離し、検出精度を向上させることができる。
【００９９】
［第２実施形態に係る有機ＥＬモジュール］
本発明の第２実施形態に係る有機ＥＬモジュール（１）について説明する。なお、第１実施形態と同一の構成に関しては、同一の符号を付してその説明を省略する。
第２実施形態に係るベース電極としてのカソード（６）は、電気的にフローティング状態にあり、その一例を図１１Ａに示している。なお、図１１Ａでは、フローティング状態にあるカソード（６）については記載を省略している。
【０１００】
検出期間（ＳＴ）において、図１１Ｂで示すように、第１アノード（４Ａ）と第２アノード（４Ｂ）の２つの検出電極に対して、同一電位（Ｖ１）が周期的に印加されるように、同一検出電圧波形を印加する。このとき、図１１Ａで示すように、カソード（６）が電気的にフローティング状態にあるため、第１アノード（４Ａ）と第２アノード（４Ｂ）との間の電位差ΔＶが「０」となる。このようなカソード（６）が電気的にフローティング状態にある場合には、第１アノード（４Ａ）と第２アノード（４Ｂ）の２つの電極に同一電位を印加すると、有機ＥＬ素子の静電容量（Ｃｅｌ）は検出されない状態となる。
【０１０１】
上記説明した各電極の電位の関係において、例えば、第１アノード（４Ａ）に指によるタッチを行うと、人体が接地（１６）しているので、指と第１アノード（４Ａ）との間に静電容量Ｃｆが生じる。そして、第１アノード（４Ａ）における過渡電流Ｉａｎｏｄ１＝ｄ（Ｃｆ×（Ｖ１−Ｖ０））／ｄｔとなる。一方、タッチしていない第２アノード（４Ｂ）側では、過渡電流Ｉａｎｏｄ２＝０となる。このように、タッチされた電極とタッチされていない電極とでは、過渡電流に明確な差が生じるので、検出回路ユニット（１４）に伝送される検出信号に差によって、接触又は近接された検出電極を個別に検出することができる。
【０１０２】
［第２実施形態に係る有機ＥＬモジュールの駆動回路と駆動方法］
第２実施形態に係る有機ＥＬモジュール（１）の駆動回路図を図１２に示す。
検出回路部（２４）には、第１アノード電極配線（２５Ａ）及び第２アノード電極配線（２５Ｂ）が、それぞれ、第４スイッチ（ＳＷ４）及び第５スイッチ（ＳＷ５）を介して接続されている。第１実施形態とは異なり、カソード（６）が電気的にフローティング状態にあり、検出回路ユニット（１４）には接続していない。
また、駆動回路図を図１２の駆動方法としては、図７に示した第１実施形態の第１駆動方法と同様のタイミングチャートにおいて、第４〜第６スイッチ（ＳＷ４〜ＳＷ６）を第４及び第５スイッチ（ＳＷ４及ぶＳＷ５）とする以外は同様の方法で駆動できる。
【０１０３】
また、第２実施形態の有機ＥＬモジュール（１）においても、第１実施形態の有機ＥＬモジュール（１）の第２駆動方法（図１０）と同様に、第１〜第３スイッチ（ＳＷ１〜ＳＷ３）を「ＯＮ」にした後、「ＯＦＦ」にする直前に、発光素子駆動回路ユニット（１２）による制御によって各有機ＥＬ素子（２２Ａ、２２Ｂ）に逆印加電圧（逆バイアス電圧）を付与することとしてもよい。
【０１０４】
［第３実施形態に係る有機ＥＬモジュールの駆動回路と駆動方法］
第３実施形態の有機ＥＬモジュール（１）について説明する。第３実施形態の有機ＥＬモジュール（１）では、各有機ＥＬ素子（２２Ａ、２２Ｂ）が常時発光しており、検出回路ユニット（１４）による制御によって、周期的に存在する検出期間（ＳＴ）において、タッチ検出を行うことができる。したがって、発光期間内（ＬＴ）内に、検出期間（ＳＴ）が存在している。
なお、以下の説明において、第１実施形態と同一の構成に関しては、同一の符号を付してその説明を省略する。
【０１０５】
第３実施形態の有機ＥＬモジュール（１）の駆動回路図を図１３に示す。
発光素子駆動回路部（２３）には、それぞれ、第１アノード電極配線（２５Ａ）、第２アノード電極配線（２５Ｂ）及びカソード電極配線（２６）が接続されている。第１実施形態の発光素子駆動回路部（２３）には、第１実施形態とは異なり第１〜第３スイッチ（ＳＷ１〜ＳＷ３）が存在していない。したがって、発光素子駆動回路部（２３）と各電極配線とは常時回路がつながった状態にあり、発光素子駆動回路部（２３）による制御によって、２つの有機ＥＬ素子（２２Ａ及び２２Ｂ）が連続的に発光する。
【０１０６】
検出回路部（２４）には、第１アノード電極配線（２５Ａ）、第２アノード電極配線（２５Ｂ）及びカソード電極配線（２６）が、それぞれ、第４スイッチ（ＳＷ４）、第５スイッチ（ＳＷ５）及び第６スイッチ（ＳＷ６）を介して接続されている。
【０１０７】
第３実施形態に係る有機ＥＬモジュール（１）の駆動回路の駆動方法についてのタイミングチャートを図１４に示す。２つの有機ＥＬ素子（２２Ａ及び２２Ｂ）には、それぞれ、常時電圧が印加されているので、連続して発光している。また、第４〜第６スイッチ（ＳＷ４〜ＳＷ６）は「ＯＮ／ＯＦＦ」を周期的に繰り返しており、「ＯＮ」の状態の期間である検出期間（ＳＴ）において、物体の接触及び近接のいずれかの検出を周期的に行うことができる。
【０１０８】
ここで、検出期間（ＳＴ）では、少なくとも検出電極としての第１アノード（４Ａ）及び第２アノード（４Ｂ）に対して、図５Ｂで示したような同一の検出電圧波形が印加されている。これにより、タッチされた電極とタッチされていない電極とでは、過渡電流に明確な差が生じるので、検出回路ユニット（１４）に伝送される検出信号に差によって、接触又は近接された検出電極を個別に検出することができる。
【０１０９】
また、検出回路部（２４）はグランド（２７）につながれているが、図１３に示すように、検出回路部（２４）とグランド（２７）を結ぶ配線間に、コンデンサー（６０）が設けられていてもよい。
【０１１０】
［その他の構成］
上述した有機ＥＬモジュール（１）の各実施形態は、全ての点で例示であって制限的なものではない。
【０１１１】
例えば、発光素子駆動回路ユニット（１２）と、検出回路ユニット（１４）とが、同一のグランド（２７）に接続された例を示したが（図３）、それぞれが独立したグランドに接続されていてもよい。
【０１１２】
また、第１〜第６スイッチ（ＳＷ１〜ＳＷ６）は、それぞれ、ＦＥＴ（電界効果トランジスター）やＴＦＴ（薄膜フィルムトランジスター）等を用いることができることとしたが、本発明の効果が得られれば適宜変更可能であり、例えば、コンデンサーを用いることとしてもよい。
【０１１３】
また、検出電極としての第１アノード（４Ａ）及び第２アノード（４Ｂ）を、ベース電極としてのカソード（６）に対し、同じ側の面に設けたが、これに限られず、第１アノード（４Ａ）及び第２アノード（４Ｂ）の間にカソード（６）を挟むような構成とすれば、両面側からタッチ検出可能な構成とすることができる。
【０１１４】
［タッチ検出順番のパターン］
順番検出部（５２）によって物体が接触又は近接した順番を検出する方法について、図１Ａに示す２つの検出電極を有する有機ＥＬモジュール（１）で説明したが、図１Ｂ及び図１Ｃに示す４つの検出電極を有する構成とすれば、さらに多くのタッチ検出の順番のパターンを検出することができる。
【０１１５】
例えば、図１Ｂに示した検出電極としての第１〜第４アノード（４Ａ、４Ｂ、４Ｃ、４Ｄ）を２行２列に配置した場合では、４つの検出電極のうち２つの検出電極を順にタッチした場合（一例を図１５Ａに示す）、４つの検出電極のうち３つの検出電極を順にタッチした場合（一例を図１５Ｂに示す）、４つの検出電極のうち４つの検出電極を順にタッチした場合（一例を図１５Ｃに示す）等のパターンを検出できるようになる。
また、本発明の有機ＥＬモジュール（１）は、マルチタッチ検出機能も有しているため、例えば、図１５Ｄに示すように、左側の検出部の列と、右側の検出部の列で、それぞれ同時に上側から下側にタッチした場合も検出することができる。
なお、図１５Ａ〜図１５Ｄには、タッチした順を矢印で示している。
【０１１６】
また、図１Ｃに示した検出電極としての第１〜第４アノード（４Ａ、４Ｂ、４Ｃ、４Ｄ）を１列に並べて配置した場合でも同様に、４つの検出電極のうち１つをタッチした場合（一例を図１６Ａに示す）、４つの検出電極のうち２つの検出電極を順にタッチした場合（一例を図１６Ｂに示す）、４つの検出電極のうち３つの検出電極を順にタッチした場合（一例を図１６Ｃに示す）、４つの検出電極のうち４つの検出電極を順にタッチした場合（一例を図１６Ｄに示す）等のパターンを検出できるようになる。なお、図１６Ａ〜図１６Ｄの検出電極内の数字は、タッチ検出した順番を示している。
【０１１７】
なお、図１５Ａ〜図１５Ｄ及び図１６Ａ〜図１６Ｄでは、１度タッチした電極は連続してタッチしていないが、同じ検出電極を連続してタッチするようなタッチ検出のパターンも検出できる。
【０１１８】
［情報処理装置］
本発明の有機ＥＬモジュール（１）は、パーソナルコンピューター、スマートフォン、タブレット型ＰＣ、電子書籍端末、携帯音楽プレーヤー、ポータブルテレビ等の情報処理装置に好適に利用することができる。以下、情報処理装置の好ましい実施形態について説明する。
【０１１９】
図１７Ａ及び図１７Ｂは、本発明の有機ＥＬモジュール（１）を具備した情報処理装置（１００）の一例として、スマートフォンを示す。図１７Ａに示したスマートフォンは、４個の検出電極を２行２列で配置した例（図１Ｂに対応）を示している。また、図１７Ｂに示したスマートフォンは４個の検出電極を１列に４個並んで配置した例（図１Ｃに対応）を示している。
【０１２０】
図１７Ａ及び図１７Ｂで示した情報処理装置（１００）では、タッチ検出が可能な４つのタッチ検出部（１０１Ａ、１０１Ｂ、１０１Ｃ、１０１Ｄ）を有している。タッチ検出部（１０１Ａ、１０１Ｂ、１０１Ｃ、１０１Ｄ）は、それぞれ、検出電極表面に配置されたカバー基板（１１）表面であり、図１Ｂ及び図１Ｃに示した検出電極（４Ａ、４Ｂ、４Ｃ、４Ｄ）の位置に対応する。
また、図１７Ａ及び図１７Ｂで示した情報処理装置（１００）では、タッチ検出部（１０１Ａ、１０１Ｂ、１０１Ｃ、１０１Ｄ）を四角形状で示しているが、形状は適宜変更可能であり、丸形状でも三角形状でもよい。また、カバー基板（１１）側へ所定の表示マークをあらかじめ形成しておき、その該当部分の裏側に本発明の有機ＥＬモジュール（１）を配置することで、表示機能を発現させることもできる。
【０１２１】
情報処理装置（１００）の主要な機能構成を示すブロック図を図１８に示す。
本発明の情報処理装置（１００）は、例えば、制御部（１１０）、発光素子駆動回路ユニット（１２）、検出回路ユニット（１４）、検出電圧制御部（５１）、順番検出部（５２）、表示部（１２０）、機能実行部としてのアプリケーション実行部（１３０）、及び機能実行部としてのパスワード認証処理部（１４０）等を備えている。
また、本発明でいう「機能実行部」とは、有機ＥＬモジュール（１）の順番検出部（５２）によって検出された検出順番のパターンに基づいて、当該検出順番のパターンに割り当てられた機能を実行する実行部をいう。
【０１２２】
制御部（１１０）は、例えば、ＣＰＵ（Central Processing Unit）、ＲＡＭ（Random Access Memory）、ＲＯＭ（Read Only Memory）等を備えて構成され、ＣＰＵはＲＯＭに
記憶されている各種プログラムをＲＡＭに展開し、展開された各種プログラムと協働して、発光素子駆動回路ユニット（１２）、検出回路ユニット（１４）、検出電圧制御部（５１）、順番検出部（５２）、表示部（１２０）、アプリケーション実行部（１３０）、及びパスワード認証処理部（１４０）の各部の動作を統括的に制御する。
また、制御部（１１０）は、記憶部を有しており、当該記憶部には、Ｗｅｂブラウザ一、電子メール、カレンダー、地図、電話、アドレス帳等のアプリケーションプログラムや、パスワード認証用のデータ等が記憶されている。
【０１２３】
有機ＥＬモジュール（１）は、発光素子駆動回路ユニット（１２）、検出回路ユニット（１４）、検出電圧制御部（５１）、及び順番検出部（５２）等を備える。各構成部の機能については、上述した通りであり、記載を省略する。
【０１２４】
表示部（１２０）は、例えば、液晶ディスプレイや有機ＥＬディスプレイ等の表示装置によって構成されており、制御部（１１０）からの制御信号と画像信号に基づいて画像を表示する。
【０１２５】
アプリケーション実行部（１３０）は、順番検出部（５２）によって検出された検出順番のパターンに基づいて、予め当該検出順番のパターンに割り当てられたアプリケーションプログラムを実行する。具体的には、例えば、検出順番のパターンに基づいて、Ｗｅｂブラウザ一、電子メール、カレンダー、地図、電話、アドレス帳等のアプリケーションを起動する動作等を実行する。
【０１２６】
パスワード認証処理部（１４０）は、順番検出部（５２）によって検出された検出順番のパターンをパスワード情報として受け付け、記憶されているパスワードとの一致に基づく認証を行う。具体的には、例えば、起動時にパスワード認証を求められた際に、タッチ操作を行った場合、検出順番のパターンに基づいてパスワード認証を実行し、記憶されているパスワードと一致した場合にロック解除を行う等の処理を実行する。
【０１２７】
また、機能実行部の例として、アプリケーション実行部（１３０）及びパスワード認証処理部（１４０）を示したが、これらに限られない。例えば、ウェブブラウザの起動時において、左側から右側の順にタッチをした際には「進む機能」、右側から左側の順にタッチした際には「戻る機能」、及び上側から下側（図１５Ａ）並びに下側から上側にタッチした際には「下又は上への表示画面のスクロール機能」を実行する機能を有していてもよい。また、本発明でいう「戻る機能」とは、ウェブブラウザで直前に表示していたページに戻る機能をいい、「進む機能」とは、戻る機能が実行される前にウェブブラウザ上で表示していたページを再び表示する機能をいう。
【０１２８】
また、本発明の有機ＥＬモジュール（１）は、マルチタッチ検出機能も有しているため、例えば、図１５Ｄに示すように、左側の検出部の列と、右側の検出部の列で、それぞれ同時に上側から下側にタッチした場合には、機能実行部が「下へ高速にスクロールする機能」を実行するようにしてもよい。
【０１２９】
また、例えば、複数タッチした際に、順番検出部（５２）がタッチした時間の間隔も測定することとし、例えば、上側から下側にタッチした場合に、タッチした時間の間隔が短いと機能実行部が「下に高速にスクロールする機能」を実行し、タッチした時間の間隔が長いと機能実行部が「下に低速にスクロールする機能」を実行するようにしてもよい。
【０１３０】
［入力装置］
本発明の有機ＥＬモジュール（１）を、例えば、キーボードやマウス等の入力装置に好適に適用することができる。以下、入力装置（２００）の好ましい実施形態について説明する。
【０１３１】
図１９Ａ及び図１９Ｂには、それぞれ、図１Ｂ及び図１Ｃに示した４つの検出電極を備えた有機ＥＬモジュール（１）を具備した入力装置（２００）としてのキーボードを示している。図１９Ａ及び図１９Ｂで示した入力装置（２００）では、タッチ検出が可能な４つのタッチ検出部（１０１Ａ、１０１Ｂ、１０１Ｃ、１０１Ｄ）を有している。タッチ検出部（１０１Ａ、１０１Ｂ、１０１Ｃ、１０１Ｄ）は、それぞれ、検出電極表面に配置されたカバー基板（１１）表面であり、図１Ｂ及び図１Ｃに示した検出電極（４Ａ、４Ｂ、４Ｃ、４Ｄ）に対応する。
【０１３２】
また、タッチ検出部（１０１Ａ、１０１Ｂ、１０１Ｃ、１０１Ｄ）を四角形状で示しているが、形状は適宜変更可能であり、丸形状でも三角形状でもよい。また、カバー基板（１１）側へ所定の表示マークをあらかじめ形成しておき、その該当部分の裏側に本発明の有機ＥＬモジュール（１）を配置することで、表示機能を発現させることもできる。
なお、これらの４つの検出電極を、ボタンが設けられた領域の外側で、かつ図中の右下付近に設けた例を示したが、設ける位置は適宜変更可能である。
【０１３３】
また、他の例としては、例えば、図１９Ｃに示すように、キーボードのキーの一部を、本発明の有機ＥＬモジュール（１）を備えた構成としてもよい。この構成では、例えば、キーの表面にタッチ検出部（１０１Ａ、１０１Ｂ、１０１Ｃ、１０１Ｄ）を備える構成とし、キーを押した際には文字入力を行うことができ、キー表面にタッチのみ行った際には、本発明のタッチ検出を行うようにすることができる。
また、キーボードのキーの一部を本発明の有機ＥＬモジュール（１）を備えた構成とする場合、例えば、ユーザーが意図した方向にカーソルを移動させるのときに使用する、いわゆる「カーソル移動キー」に適用することが好ましい。カーソル移動キーは、通常、「←：左矢印」、「→：右矢印」、「↑：上矢印」、「↓：下矢印」の４つのキーがセットとなっている。本発明の有機ＥＬモジュール（１）をカーソル移動キーに適用する場合、例えば、キーを押した際にはカーソルの移動を行うことができ、キー表面にタッチのみ行った際には、本発明のタッチ検出を行うようにすることができる。
【０１３４】
また、キーボードに限られず、他の入力装置にも適用可能であり、図１９Ｄに示すようにマウスに本発明の有機ＥＬモジュール（１）を備えた構成としてもよい。マウスに適用する場合には、例えば、図１９Ｄに示すように、いわゆるスクロールホイールの代わりに、タッチ検出部（１０１Ａ、１０１Ｂ、１０１Ｃ、１０１Ｄ）を備える構成とすることができる。
【０１３５】
［照明装置］
本発明の有機ＥＬモジュール（１）は、照明装置にも適用が可能である。本発明の有機ＥＬモジュール（１）を具備した照明装置では、例えば、所定の順番でタッチすると、発光を開始する又は発光を停止する等の機能を付与することができる。
また、本発明の有機ＥＬモジュール（１）を具備した照明装置としては、家庭用照明、車内照明、液晶表示装置のバックライト等、表示装置にも有用に用いられうる。また、有機ＥＬモジュール（１）を具備した照明装置は、これらの用途に限らず、例えば、時計等のバックライト、看板広告、信号機、光記憶媒体等の光源、電子写真複写機の光源、光通信処理機の光源、光センサーの光源等、さらには表示装置を必要とする一般の家庭用電気器具等の広い範囲の用途で用いられうる。
【０１３６】
［有機ＥＬパネルの構成］
有機ＥＬモジュール（１）を構成する有機ＥＬパネル（２）には、例えば、図２で例示したように、透明基材（３）上に、検出電極としての第１アノード（４Ａ）及び第２アノード（４Ｂ）、有機機能層ユニット（５）、及び共通のベース電極としてのカソード（６）が順に積層されている。また、層厚方向において、第１アノード（４Ａ）並びに第２アノード（４Ｂ）、有機機能層ユニット（５）、及びカソード（６）が存在している有機ＥＬ素子領域が、２つの発光エリア（４０Ａ、４０Ｂ）を構成している。また、この有機ＥＬ素子領域の外周部は封止用接着剤（７）で封止され、その表面に、封止部材（８）が配置されている。また、透明基材（３）の検出電極が設けられた側と反対側には、封止用接着剤（７）を介して、カバー基板（１１）が設けられている。
【０１３７】
以下に、有機ＥＬ素子の構成の代表例を示す。
（ｉ）陽極／正孔注入輸送層／発光層／電子注入輸送層／陰極
（ii）陽極／正孔注入輸送層／発光層／正孔阻止層／電子注入輸送層／陰極
（iii）陽極／正孔注入輸送層／電子阻止層／発光層／正孔阻止層／電子注入輸送層／
陰極
（iv）陽極／正孔注入層／正孔輸送層／発光層／電子輸送層／電子注入層／陰極
（ｖ）陽極／正孔注入層／正孔輸送層／発光層／正孔阻止層／電子輸送層／電子注入層／陰極
（vi）陽極／正孔注入層／正孔輸送層／電子阻止層／発光層／正孔阻止層／電子輸送層／電子注入層／陰極
更に、発光層間には非発光性の中間層を有していてもよい。中間層は電荷発生層であってもよく、マルチフォトンユニット構成であってもよい。以下、本発明に係る有機ＥＬ素子を構成する各層の詳細について説明する。
【０１３８】
〔透明基材〕
本発明に係る有機ＥＬ素子に適用可能な透明基材（３）としては、例えば、ガラス、プラスチック等の透明材料を挙げることができる。好ましく用いられる透明な透明基材（３）としては、ガラス、石英、樹脂フィルムを挙げることができる。
【０１３９】
ガラス材料としては、例えば、シリカガラス、ソーダ石灰シリカガラス、鉛ガラス、ホウケイ酸塩ガラス、無アルカリガラス等が挙げられる。これらのガラス材料の表面には、隣接する層との密着性、耐久性、平滑性の観点から、必要に応じて、研磨等の物理的処理、無機物又は有機物からなる被膜や、これらの被膜を組み合わせたハイブリッド被膜を形成することができる。
【０１４０】
樹脂フィルムを構成する樹脂材料としては、例えば、ポリエチレンテレフタレート（略称：ＰＥＴ）、ポリエチレンナフタレート（略称：ＰＥＮ）等のポリエステル、ポリエチレン、ポリプロピレン、セロファン、セルロースジアセテート、セルローストリアセテート（略称：ＴＡＣ）、セルロースアセテートブチレート、セルロースアセテートプロピオネート（略称：ＣＡＰ）、セルロースアセテートフタレート、セルロースナイトレート等のセルロースエステル類及びそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（略称：ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリル及びポリアリレート類、アートン（商品名ＪＳＲ社製）及びアペル（商品名三井化学社製）等のシクロオレフィン系樹脂等を挙げることができる。
【０１４１】
有機ＥＬ素子においては、上記説明した透明基材（３）上に、必要に応じて、ガスバリアー層を設ける構成であってもよい。
【０１４２】
ガスバリアー層を形成する材料としては、水分や酸素など、有機ＥＬ素子の性能劣化を引き起こす成分の浸入を抑制する機能を有する材料であればよく、例えば、酸化ケイ素、二酸化ケイ素、窒化ケイ素などの無機物を用いることができる。更に、ガスバリアー層の脆弱性を改良するため、これら無機層と有機材料からなる有機層の積層構造を持たせることがより好ましい。無機層と有機層の積層順については特に制限はないが、両者を交互に複数回積層させることが好ましい。
【０１４３】
〔カバー基板〕
カバー基板（１１）は、タッチ検出が可能な公知の絶縁体のカバー基板を用いることができ、例えば、ガラス板やアクリル板などを好ましく用いることができる。
【０１４４】
〔陽極：アノード〕
有機ＥＬ素子を構成する陽極としては、Ａｇ、Ａｕ等の金属又は金属を主成分とする合金、ＣｕＩ、あるいはインジウム−スズの複合酸化物（ＩＴＯ）、ＳｎＯ２及びＺｎＯ等の金属酸化物を挙げることができるが、金属又は金属を主成分とする合金であることが好ましく、更に好ましくは、銀又は銀を主成分とする合金である。
【０１４５】
透明陽極を、銀を主成分として構成する場合、銀の純度としては、９９％以上であることが好ましい。また、銀の安定性を確保するためにパラジウム（Ｐｄ）、銅（Ｃｕ）及び金（Ａｕ）等が添加されていてもよい。
【０１４６】
透明陽極は銀を主成分として構成されている層であるが、具体的には、銀単独で形成しても、あるいは銀（Ａｇ）を含有する合金から構成されていてもよい。そのような合金としては、例えば、銀−マグネシウム（Ａｇ−Ｍｇ）、銀−銅（Ａｇ−Ｃｕ）、銀−パラジウム（Ａｇ−Ｐｄ）、銀−パラジウム−銅（Ａｇ−Ｐｄ−Ｃｕ）、銀−インジウム（Ａｇ−Ｉｎ）などが挙げられる。
【０１４７】
上記陽極を構成する各構成材料の中でも、本発明に係る有機ＥＬ素子を構成する陽極としては、銀を主成分として構成し、厚さが２〜２０ｎｍの範囲内にある透明陽極であることが好ましいが、更に好ましくは厚さが４〜１２ｎｍの範囲内である。厚さが２０ｎｍ以下であれば、透明陽極の吸収成分及び反射成分が低く抑えられ、高い光透過率が維持されるため好ましい。
【０１４８】
本発明でいう銀を主成分として構成している層とは、透明陽極中の銀の含有量が６０質量％以上であることをいい、好ましくは銀の含有量が８０質量％以上であり、より好ましくは銀の含有量が９０質量％以上であり、特に好ましくは銀の含有量が９８質量％以上である。また、本発明に係る透明陽極でいう「透明」とは、波長５５０ｎｍでの光透過率が５０％以上であることをいう。
【０１４９】
透明陽極においては、銀を主成分として構成されている層が、必要に応じて複数の層に分けて積層された構成であっても良い。
【０１５０】
また、本発明においては、陽極が、銀を主成分として構成する透明陽極である場合には、形成する透明陽極の銀膜の均一性を高める観点から、その下部に、下地層を設けることが好ましい。下地層としては、特に制限はないが、窒素原子又は硫黄原子を有する有機化合物を含有する層であることが好ましく、当該下地層上に、透明陽極を形成する方法が好ましい態様である。
【０１５１】
〔中間電極〕
本発明に係る有機ＥＬ素子においては、陽極と陰極との間に、各有機機能層と発光層から構成される有機機能層ユニットを二つ以上積層した構造を有し、二つ以上の有機機能層ユニット間を、電気的接続を得るための独立した接続端子を有する中間電極層ユニットで分離した構造をとることができる。
【０１５２】
〔発光層〕
有機ＥＬ素子を構成する発光層は、発光材料としてリン光発光化合物が含有されている構成が好ましい。
【０１５３】
当該発光層は、電極又は電子輸送層から注入された電子と、正孔輸送層から注入された正孔とが再結合して発光する層であり、発光する部分は発光層の層内であっても発光層と隣接する層との界面であってもよい。
【０１５４】
このような発光層としては、含まれる発光材料が発光要件を満たしていれば、その構成には特に制限はない。また、同一の発光スペクトルや発光極大波長を有する層が複数層あってもよい。この場合、各発光層間には非発光性の中間層を設ける構成であることが好ましい。
【０１５５】
発光層の厚さの総和は、概ね１〜１００ｎｍの範囲内にあることが好ましく、より低い駆動電圧で発光させることができる点から１〜３０ｎｍの範囲内がさらに好ましい。なお、発光層の厚さの総和とは、発光層間に非発光性の中間層が存在する場合には、当該中間層も含む厚さである。
【０１５６】
以上のような発光層は、後述する発光材料やホスト化合物を、例えば、真空蒸着法、スピンコート法、キャスト法、ＬＢ法（ラングミュア・ブロジェット、Ｌａｎｇｍｕｉｒ  Ｂｌｏｄｇｅｔｔ法）及びインクジェット法等の公知の方法により形成することができる。
【０１５７】
また、発光層は、複数の発光材料を混合してもよく、リン光発光材料と蛍光発光材料（蛍光ドーパント、蛍光性化合物ともいう）とを同一発光層中に混合して用いてもよい。発光層の構成としては、ホスト化合物（発光ホスト等ともいう）及び発光材料（発光ドーパント化合物ともいう。）を含有し、発光材料より発光させることが好ましい。
【０１５８】
〈ホスト化合物〉
発光層に含有されるホスト化合物としては、室温（２５℃）におけるリン光発光のリン光量子収率が０．１未満の化合物が好ましい。さらにリン光量子収率が０．０１未満であることが好ましい。また、発光層に含有される化合物の中で、その層中での体積比が５０％以上であることが好ましい。
【０１５９】
ホスト化合物としては、公知のホスト化合物を単独で用いてもよく、あるいは、複数種のホスト化合物を用いてもよい。ホスト化合物を複数種用いることで、電荷の移動を制御することが可能となり、有機ＥＬ素子を高効率化することができる。また、後述する発光材料を複数種用いることで、異なる発光成分を混ぜることが可能となり、これにより任意の発光色を得ることができる。
【０１６０】
発光層に用いられるホスト化合物としては、従来公知の低分子化合物でも、繰り返し単位をもつ高分子化合物でもよく、ビニル基やエポキシ基のような重合性基を有する低分子化合物（蒸着重合性発光ホスト）でもよい。
【０１６１】
〈発光材料〉
本発明で用いることのできる代表的な発光材料としては、リン光発光性化合物（リン光性化合物、リン光発光材料又はリン光発光ドーパントともいう。）及び蛍光発光性化合物（蛍光性化合物又は蛍光発光材料ともいう。）が挙げられる。
【０１６２】
〈リン光発光性化合物〉
リン光発光性化合物とは、励起三重項からの発光が観測される化合物であり、具体的には室温（２５℃）にてリン光発光する化合物であり、リン光量子収率が２５℃で０．０１以上の化合物であると定義されるが、好ましいリン光量子収率は０．１以上である。
【０１６３】
上記リン光量子収率は、第４版実験化学講座７の分光IIの３９８頁（１９９２年版、丸善）に記載の方法により測定できる。溶液中でのリン光量子収率は、種々の溶媒を用いて測定できるが、本発明においてリン光発光性化合物を用いる場合、任意の溶媒のいずれかにおいて、上記リン光量子収率として０．０１以上が達成されればよい。
【０１６４】
リン光発光性化合物は、一般的な有機ＥＬ素子の発光層に使用される公知のものの中から適宜選択して用いることができるが、好ましくは元素の周期表で８〜１０族の金属を含有する錯体系化合物であり、さらに好ましくはイリジウム化合物、オスミウム化合物、白金化合物（白金錯体系化合物）又は希土類錯体であり、中でも最も好ましいのはイリジウム化合物である。
【０１６５】
本発明においては、少なくとも一つの発光層が、二種以上のリン光発光性化合物が含有されていてもよく、発光層におけるリン光発光性化合物の濃度比が発光層の厚さ方向で変化している態様であってもよい。
【０１６６】
本発明において好ましいリン光発光性化合物としては、Ｉｒを中心金属に有する有機金属錯体が挙げられる。さらに好ましくは、金属−炭素結合、金属−窒素結合、金属−酸素結合、金属−硫黄結合の少なくとも１つの配位様式を含む錯体が好ましい。
【０１６７】
〈蛍光発光性化合物〉
蛍光発光性化合物としては、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素又は希土類錯体系蛍光体等が挙げられる。
【０１６８】
〔有機機能層ユニット〕
次いで、有機機能層ユニットを構成する発光層以外の各層として、電荷注入層、正孔輸送層、電子輸送層及び阻止層の順に説明する。
【０１６９】
（電荷注入層）
電荷注入層は、駆動電圧低下や発光輝度向上のために、電極と発光層の間に設けられる層のことで、正孔注入層と電子注入層とがある。
【０１７０】
電荷注入層としては、一般には、正孔注入層であれば、陽極と発光層又は正孔輸送層との間、電子注入層であれば陰極と発光層又は電子輸送層との間に存在させることができるが、本発明においては、透明電極に隣接して電荷注入層を配置させることが好ましい。
【０１７１】
正孔注入層は、駆動電圧低下や発光輝度向上のために、透明電極である陽極に隣接して配置される層である。
【０１７２】
正孔注入層に用いられる材料としては、例えば、ポルフィリン誘導体、フタロシアニン誘導体、オキサゾール誘導体、オキサジアゾール誘導体、トリアゾール誘導体、イミダゾール誘導体、ピラゾリン誘導体、ピラゾロン誘導体、フェニレンジアミン誘導体、ヒドラゾン誘導体、スチルベン誘導体、ポリアリールアルカン誘導体、トリアリールアミン誘導体、カルバゾール誘導体、インドロカルバゾール誘導体、イソインドール誘導体、アントラセンやナフタレン等のアセン系誘導体、フルオレン誘導体、フルオレノン誘導体、及びポリビニルカルバゾール、芳香族アミンを主鎖又は側鎖に導入した高分子材料又はオリゴマー、ポリシラン、導電性ポリマー又はオリゴマー（例えば、ＰＥＤＯＴ（ポリエチレンジオキシチオフェン）：ＰＳＳ（ポリスチレンスルホン酸）、アニリン系共重合体、ポリアニリン、ポリチオフェン等）等が挙げられる。
【０１７３】
トリアリールアミン誘導体としては、α−ＮＰＤ（４，４′−ビス〔Ｎ−（１−ナフチル）−Ｎ−フェニルアミノ〕ビフェニル）に代表されるベンジジン型や、ＭＴＤＡＴＡ（４，４′，４″−トリス〔Ｎ−（３−メチルフェニル）−Ｎ−フェニルアミノ〕トリフェニルアミン）に代表されるスターバースト型、トリアリールアミン連結コア部にフルオレンやアントラセンを有する化合物等が挙げられる。
【０１７４】
また、ヘキサアザトリフェニレン誘導体も同様に正孔注入層用の材料として用いることができる。
【０１７５】
電子注入層は、駆動電圧低下や発光輝度向上のために、陰極と発光層との間に設けられる層のことであり、陰極が本発明に係る透明電極で構成されている場合には、当該透明電極に隣接して設けられる。
【０１７６】
電子注入層に好ましく用いられる材料の具体例としては、ストロンチウムやアルミニウム等に代表される金属、フッ化リチウム、フッ化ナトリウム、フッ化カリウム等に代表されるアルカリ金属化合物、フッ化マグネシウム、フッ化カルシウム等に代表されるアルカリ金属ハライド層、フッ化マグネシウムに代表されるアルカリ土類金属化合物層、酸化モリブデン、酸化アルミニウム等に代表される金属酸化物、リチウム８−ヒドロキシキノレート（Ｌｉｑ）等に代表される金属錯体等が挙げられる。また、陰極が透明電極である場合は、金属錯体等の有機材料が特に好適に用いられる。電子注入層はごく薄い膜であることが望ましく、構成材料にもよるが、その層厚は１ｎｍ〜１０μｍの範囲が好ましい。
【０１７７】
（正孔輸送層）
正孔輸送層とは正孔を輸送する機能を有する正孔輸送材料からなり、広い意味で正孔注入層及び電子阻止層も正孔輸送層の機能を有する。正孔輸送層は単層又は複数層設けることができる。
【０１７８】
正孔輸送材料としては、正孔の注入又は輸送、電子の障壁性のいずれかを有するものであり、有機物、無機物のいずれであってもよい。例えば、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、導電性高分子オリゴマー及びチオフェンオリゴマー等が挙げられる。
【０１７９】
正孔輸送材料としては、上記のものを使用することができるが、ポルフィリン化合物、芳香族第３級アミン化合物及びスチリルアミン化合物を用いることができ、特に芳香族第３級アミン化合物を用いることが好ましい。
【０１８０】
芳香族第３級アミン化合物及びスチリルアミン化合物の代表例としては、Ｎ，Ｎ，Ｎ′，Ｎ′−テトラフェニル−４，４′−ジアミノフェニル、Ｎ，Ｎ′−ジフェニル−Ｎ，Ｎ′−ビス（３−メチルフェニル）−〔１，１′−ビフェニル〕−４，４′−ジアミン（略称：ＴＰＤ）、２，２−ビス（４−ジ−ｐ−トリルアミノフェニル）プロパン、１，１−ビス（４−ジ−ｐ−トリルアミノフェニル）シクロヘキサン、Ｎ，Ｎ，Ｎ′，Ｎ′−テトラ−ｐ−トリル−４，４′−ジアミノビフェニル、１，１−ビス（４−ジ−ｐ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ′−ジフェニル−Ｎ，Ｎ′−ジ（４−メトキシフェニル）−４，４′−ジアミノビフェニル、Ｎ，Ｎ，Ｎ′，Ｎ′−テトラフェニル−４，４′−ジアミノジフェニルエーテル、４，４′−ビス（ジフェニルアミノ）クオードリフェニル、Ｎ，Ｎ，Ｎ−トリ（ｐ−トリル）アミン、４−（ジ−ｐ−トリルアミノ）−４′−〔４−（ジ−ｐ−トリルアミノ）スチリル〕スチルベン、４−Ｎ，Ｎ−ジフェニルアミノ−（２−ジフェニルビニル）ベンゼン、３−メトキシ−４′−Ｎ，Ｎ−ジフェニルアミノスチルベンゼン及びＮ−フェニルカルバゾール等が挙げられる。
【０１８１】
正孔輸送層は、上記正孔輸送材料を、例えば、真空蒸着法、スピンコート法、キャスト法、インクジェット法を含む印刷法及びＬＢ法（ラングミュア・ブロジェット、Ｌａｎｇｍｕｉｒ  Ｂｌｏｄｇｅｔｔ法）等の公知の方法により、薄膜化することにより形成することができる。正孔輸送層の層厚については特に制限はないが、通常は５ｎｍ〜５μｍ程度、好ましくは５〜２００ｎｍの範囲である。この正孔輸送層は、上記材料の一種又は二種以上からなる一層構造であってもよい。
【０１８２】
また、正孔輸送層の材料に不純物をドープすることにより、ｐ性を高くすることもできる。
【０１８３】
このように、正孔輸送層のｐ性を高くすると、より低消費電力の有機ＥＬ素子を作製することができるため好ましい。
【０１８４】
（電子輸送層）
電子輸送層は、電子を輸送する機能を有する材料から構成され、広い意味で電子注入層や正孔阻止層も電子輸送層に含まれる。電子輸送層は、単層構造又は複数層の積層構造として設けることができる。
【０１８５】
単層構造の電子輸送層及び積層構造の電子輸送層において、発光層に隣接する層部分を構成する電子輸送材料（正孔阻止材料を兼ねる）としては、カソード（陰極）より注入された電子を発光層に伝達する機能を有していれば良い。このような材料としては、従来公知の化合物の中から任意のものを選択して用いることができる。例えば、ニトロ置換フルオレン誘導体、ジフェニルキノン誘導体、チオピランジオキシド誘導体、カルボジイミド、フレオレニリデンメタン誘導体、アントラキノジメタン、アントロン誘導体及びオキサジアゾール誘導体等が挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送層の材料として用いることができる。さらにこれらの材料を高分子鎖に導入した高分子材料又はこれらの材料を高分子の主鎖とした高分子材料を用いることもできる。
【０１８６】
また、８−キノリノール誘導体の金属錯体、例えば、トリス（８−キノリノール）アルミニウム（略称：Ａｌｑ３）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（略称：Ｚｎｑ）等及びこれらの金属錯体の中心金属がＩｎ、Ｍｇ、Ｃｕ、Ｃａ、Ｓｎ、Ｇａ又はＰｂに置き替わった金属錯体も、電子輸送層の材料として用いることができる。
【０１８７】
電子輸送層は、上記材料を、例えば、真空蒸着法、スピンコート法、キャスト法、インクジェット法を含む印刷法及びＬＢ法等の公知の方法により、薄膜化することで形成することができる。電子輸送層の層厚については特に制限はないが、通常は５ｎｍ〜５μｍ程度、好ましくは５〜２００ｎｍの範囲内である。電子輸送層は上記材料の一種又は二種以上からなる単一構造であってもよい。
【０１８８】
（阻止層）
阻止層としては、正孔阻止層及び電子阻止層が挙げられ、上記説明した有機機能層ユニット５の各構成層の他に、必要に応じて設けられる層である。例えば、正孔阻止（ホールブロック）層等を挙げることができる。
【０１８９】
正孔阻止層とは、広い意味では、電子輸送層の機能を有する。正孔阻止層は、電子を輸送する機能を有しつつ正孔を輸送する能力が著しく小さい正孔阻止材料からなり、電子を輸送しつつ正孔を阻止することで電子と正孔の再結合確率を向上させることができる。また、電子輸送層の構成を必要に応じて、正孔阻止層として用いることができる。正孔阻止層は、発光層に隣接して設けられていることが好ましい。
【０１９０】
一方、電子阻止層とは、広い意味では、正孔輸送層の機能を有する。電子阻止層は、正孔を輸送する機能を有しつつ、電子を輸送する能力が著しく小さい材料からなり、正孔を輸送しつつ電子を阻止することで電子と正孔の再結合確率を向上させることができる。また、正孔輸送層の構成を必要に応じて電子阻止層として用いることができる。本発明に適用する正孔阻止層の層厚としては、好ましくは３〜１００ｎｍの範囲であり、さらに好ましくは５〜３０ｎｍの範囲である。
【０１９１】
〔陰極：カソード〕
陰極は、有機機能層ユニットや発光層に正孔を供給するために機能する電極層であり、金属、合金、有機又は無機の導電性化合物若しくはこれらの混合物が用いられる。具体的には、金、アルミニウム、銀、マグネシウム、リチウム、マグネシウム／銅混合物、マグネシウム／銀混合物、マグネシウム／アルミニウム混合物、マグネシウム／インジウム混合物、インジウム、リチウム／アルミニウム混合物、希土類金属、ＩＴＯ、ＺｎＯ、ＴｉＯ２及びＳｎＯ２等の酸化物半導体などが挙げられる。
【０１９２】
陰極は、これらの導電性材料を蒸着やスパッタリング等の方法により薄膜を形成させて作製することができる。また、第２電極としてのシート抵抗は、数百Ω／ｓｑ．以下が好ましく、膜厚は通常５ｎｍ〜５μｍ、好ましくは５〜２００ｎｍの範囲内で選ばれる。
【０１９３】
なお、有機ＥＬ素子が、陰極側からも発光光Ｌを取り出す、両面発光型の場合には、光透過性の良好な陰極を選択して構成すればよい。
【０１９４】
〔封止部材〕
有機ＥＬ素子を封止するのに用いられる封止手段としては、例えば、図２で示すように、封止部材（８）と、カソード（６）及び透明基材（３）とを封止用接着剤（７）で接着する方法を挙げることができる。
【０１９５】
封止部材（８）としては、有機ＥＬ素子の表示領域を覆うように配置されていればよく、凹板状でも、平板状でもよい。また透明性及び電気絶縁性は特に限定されない。
【０１９６】
具体的には、ガラス板、ポリマー板、フィルム、金属板、フィルム等が挙げられる。ガラス板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等を挙げることができる。また、ポリマー板としては、ポリカーボネート、アクリル、ポリエチレンテレフタレート、ポリエーテルサルファイド、ポリサルフォン等を挙げることができる。金属板としては、ステンレス、鉄、銅、アルミニウム、マグネシウム、ニッケル、亜鉛、クロム、チタン、モリブテン、シリコン、ゲルマニウム及びタンタルからなる群から選ばれる一種以上の金属又は合金が挙げられる。
【０１９７】
封止部材（８）としては、有機ＥＬ素子を薄膜化することできる観点から、ポリマーフィルム及び金属フィルムを好ましく使用することができる。さらに、ポリマーフィルムは、ＪＩＳ  Ｋ  ７１２９−１９９２に準拠した方法で測定された温度２５±０．５℃、相対湿度９０±２％ＲＨにおける水蒸気透過度が、１×１０−３ｇ／ｍ２・２４ｈ以下であることが好ましく、さらには、ＪＩＳ  Ｋ  ７１２６−１９８７に準拠した方法で測定された酸素透過度が、１×１０−３ｍｌ／ｍ２・２４ｈ・ａｔｍ（１ａｔｍは、１．０１３２５×１０５Ｐａである）以下であって、温度２５±０．５℃、相対湿度９０±２％ＲＨにおける水蒸気透過度が、１×１０−３ｇ／ｍ２・２４ｈ以下であることが好ましい。
【０１９８】
封止用接着剤（７）としては、例えば、アクリル酸系オリゴマー、メタクリル酸系オリゴマーの反応性ビニル基を有する光硬化及び熱硬化型接着剤、２−シアノアクリル酸エステル等の湿気硬化型等の接着剤を挙げることができる。また、エポキシ系等の熱及び化学硬化型（二液混合）を挙げることができる。また、ホットメルト型のポリアミド、ポリエステル、ポリオレフィンを挙げることができる。また、カチオン硬化タイプの紫外線硬化型エポキシ樹脂接着剤を挙げることができる。
【０１９９】
封止部材と有機ＥＬ素子の表示領域（発光領域）との間隙には、封止用接着剤（７）の他には、気相及び液相では窒素、アルゴン等の不活性気体やフッ化炭化水素、シリコンオイルのような不活性液体を注入することもできる。また、封止部材と有機ＥＬ素子の表示領域との間隙を真空とすることや、間隙に吸湿性化合物を封入することもできる。
【０２００】
〔有機ＥＬパネルの製造方法〕
有機ＥＬパネル（２）の製造方法としては、透明基材（３）上に、陽極、発光層を含む有機機能層ユニット（５）及び陰極を積層して形成することができる。
【０２０１】
まず、透明基材（３）を準備し、該透明基材（３）上に、所望の電極物質、例えば、陽極用物質からなる薄膜を１μｍ以下、好ましくは１０〜２００ｎｍの範囲内の膜厚になるように、蒸着やスパッタリング等の方法により形成させ、陽極を形成する。同時に、陽極端部に、外部電源と接続する接続電極部を形成する。
【０２０２】
次に、この上に、有機機能層ユニット（５）として、例えば、正孔注入層、正孔輸送層、発光層、及び電子輸送層等を順に積層する。
【０２０３】
これらの各有機機能層の形成は、スピンコート法、キャスト法、インクジェット法、蒸着法、印刷法等があるが、均質な層が得られやすく、かつ、ピンホールが生成しにくい等の点から、真空蒸着法又はスピンコート法が特に好ましい。更に、層ごとに異なる形成法を適用しても良い。これらの各層の形成に蒸着法を採用する場合、その蒸着条件は使用する化合物の種類等により異なるが、一般にボート加熱温度５０〜４５０℃、真空度１×１０−６〜１×１０−２Ｐａ、蒸着速度０．０１〜５０ｎｍ／秒、基板温度−５０〜３００℃、層厚０．１〜５μｍの範囲内で、各条件を適宜選択することが望ましい。
【０２０４】
以上のようにして有機機能層ユニット（５）を形成した後、この上部に陰極を蒸着法やスパッタ法などの適宜の形成法によって形成する。この際、陰極は、有機機能層ユニット（５）によって陽極に対して絶縁状態を保ちつつ、有機機能層ユニット（５）の上方から透明基材（３）の周縁に端子部分を引き出した形状にパターン形成する。
【０２０５】
陰極の形成後、これら透明基材（３）、陽極、発光層を含む有機機能層ユニット（５）及び陰極を封止材で封止する。すなわち、陽極及び陰極の端子部分を露出させた状態で、透明基材（３）上に、少なくとも有機機能層ユニット（５）を覆うように封止用接着剤（７）で封止する。また、封止用接着剤（７）上面には、封止部材（８）を設ける。
【０２０６】
また、有機ＥＬパネル（２）の製造において、例えば、有機ＥＬ素子の各電極を、発光素子駆動回路ユニット（１２）及び検出回路ユニット（１４）に電気的に接続する。電気的に接続する接続部材としては、導電性を備えた部材であれば特に制限はなく、例えば、異方性導電膜（ＡＣＦ）が一例として挙げられる。
【０２０７】
異方性導電膜（ＡＣＦ）としては、例えば、熱硬化性樹脂に混ぜ合わせた導電性を持つ微細な導電性粒子を有する層を挙げることができる。本発明に用いることができる導電性粒子を含有する層としては、異方性導電部材としての導電性粒子を含有する層であれば、特に制限はなく、目的に応じて適宜選択することができる。本発明に係る異方性導電部材として用いることができる導電性粒子としては、特に制限はなく、目的に応じて適宜選択することができ、例えば、金属粒子、金属被覆樹脂粒子などが挙げられる。市販されているＡＣＦとしては、例えば、ＭＦ−３３１（日立化成製）などの、樹脂フィルムにも適用可能な低温硬化型のＡＣＦを挙げることができる。
【０２０８】
金属粒子としては、例えば、ニッケル、コバルト、銀、銅、金、パラジウムなどが挙げられ、金属被覆樹脂粒子としては、例えば、樹脂コアの表面をニッケル、銅、金、及びパラジウムのいずれかの金属を被覆した粒子が挙げられる。
【産業上の利用可能性】
【０２０９】
本発明の有機ＥＬモジュールは、パーソナルコンピューター、スマートフォン、タブレット型ＰＣ、電子書籍端末、携帯音楽プレーヤー、ポータブルテレビ等の情報処理装置に好適に適用することができる。また、本発明の有機ＥＬモジュールは、例えば、キーボードやマウス等の入力装置にも好適に適用することができる。さらに、本発明の有機ＥＬモジュールは、照明装置にも好適に適用することができる。
【符号の説明】
【０２１０】
１  有機ＥＬモジュール
２  有機ＥＬパネル
３  透明基材
４Ａ  第１アノード（検出電極）
４Ｂ  第２アノード（検出電極）
５  有機機能層ユニット
６  カソード（ベース電極）
７  封止用接着剤
８  封止部材
１１  カバー基板
１２  発光素子駆動回路ユニット
１４  検出回路ユニット
１６  接地
２１Ａ、２１Ｂ  有機ＥＬ素子の寄生容量
２２、２２Ａ、２２Ｂ  有機ＥＬ素子
２３  発光素子駆動回路部
２４  検出回路部
２５Ａ  第１アノード電極配線
２５Ｂ  第２アノード電極配線
２６  カソード電極配線
２７  グランド
４０Ａ、４０Ｂ  発光エリア
５１  検出電圧制御部
５２  順番検出部
１００  情報処理装置
１０１Ａ、１０１Ｂ、１０１Ｃ、１０１Ｄ  タッチ検出部
１１０  制御部
１２０  表示部
１３０  アプリケーション実行部（機能実行部）
１４０  パスワード認証処理部（機能実行部）
１ＦＴ  １フレーム期間
ＬＴ  発光期間
ＳＴ  検出期間
ｗｔ  待機時間
【図１Ａ】
2018123723.tif 000003
【図１Ｂ】
2018123723.tif 000004
【図１Ｃ】
2018123723.tif 000005
【図２】
2018123723.tif 000006
【図３】
2018123723.tif 000007
【図４】
2018123723.tif 000008
【図５Ａ】
2018123723.tif 000009
【図５Ｂ】
2018123723.tif 000010
【図６】
2018123723.tif 000011
【図７】
2018123723.tif 000012
【図８】
2018123723.tif 000013
【図９】
2018123723.tif 000014
【図１０】
2018123723.tif 000015
【図１１Ａ】
2018123723.tif 000016
【図１１Ｂ】
2018123723.tif 000017
【図１２】
2018123723.tif 000018
【図１３】
2018123723.tif 000019
【図１４】
2018123723.tif 000020
【図１５Ａ】
2018123723.tif 000021
【図１５Ｂ】
2018123723.tif 000022
【図１５Ｃ】
2018123723.tif 000023
【図１５Ｄ】
2018123723.tif 000024
【図１６Ａ】
2018123723.tif 000025
【図１６Ｂ】
2018123723.tif 000026
【図１６Ｃ】
2018123723.tif 000027
【図１６Ｄ】
2018123723.tif 000028
【図１７Ａ】
2018123723.tif 000029
【図１７Ｂ】
2018123723.tif 000030
【図１８】
2018123723.tif 000031
【図１９Ａ】
2018123723.tif 000032
【図１９Ｂ】
2018123723.tif 000033
【図１９Ｃ】
2018123723.tif 000034
【図１９Ｄ】
2018123723.tif 000035
【図２０Ａ】
2018123723.tif 000036
【図２０Ｂ】
2018123723.tif 000037
【国際調査報告】
2018123723.tif 000038
2018123723.tif 000039